(57)【特許請求の範囲】
【請求項１】
吸収器と、高温再生器と、低温再生器と、排熱焚再生器と、凝縮器と、蒸発器とを有する吸収冷温水機において、吸収器から送出された稀溶液が流過する稀溶液ラインは、第１の分岐点で、低温溶液熱交換器が介装されている第１の分岐ラインと、冷媒ドレン熱交換器が介装されている第２の分岐ラインとに分岐されており、高温再生器で再生した冷媒蒸気が流れるラインの低温再生器と凝縮器の間の領域が前記冷媒ドレン熱交換器と熱的に連通しており、低温再生器を経由した後の冷媒が保有するエンタルピーが前記第２の分岐ラインを流れる稀溶液へ投入される様に構成されており、前記第１の分岐点に介装された三方弁と、排熱焚再生器と熱的に連通する排熱ラインと排熱源に連通するラインとの分岐箇所或いは合流箇所に介装された排熱投入用三方弁と、該排熱投入用三方弁が排熱ラインＬ２側を開放しているか閉鎖しているかを検出する開閉センサと、該開閉センサの検知信号により前記三方弁を開閉制御する制御手段とを設け、該制御手段は、排熱投入用三方弁が排熱ライン側を開放しているのであれば、排熱焚再生器に連通する第１の分岐ラインを流過する稀溶液の流量を所定量だけ増加し、排熱投入用三方弁が排熱ライン側を閉鎖しているのであれば、排熱焚再生器に連通する第１の分岐ラインを流過する稀溶液の流量を、所定量だけ減少する制御を行う様に構成されていることを特徴とする吸収冷温水機。
【請求項２】
吸収器と、高温再生器と、低温再生器と、排熱焚再生器と、凝縮器と、蒸発器とを有する吸収冷温水機において、吸収器から送出された稀溶液が流過する稀溶液ラインは、第１の分岐点で、低温溶液熱交換器が介装されている第１の分岐ラインと、冷媒ドレン熱交換器が介装されている第２の分岐ラインとに分岐されており、高温再生器で再生した冷媒蒸気が流れるラインの低温再生器と凝縮器の間の領域が前記冷媒ドレン熱交換器と熱的に連通しており、低温再生器を経由した後の冷媒が保有するエンタルピーが前記第２の分岐ラインを流れる稀溶液へ投入される様に構成されており、前記第１の分岐点に介装された三方弁と、排熱焚再生器と熱的に連通する排熱ラインを流れる流体の温度を検出する温度センサと、該温度センサの検知信号により前記三方弁を開閉制御する制御手段とを設け、該制御手段は、排熱ライン側を流れる流体の温度が上昇すれば、排熱焚再生器に連通する第１の分岐ラインを流過する稀溶液の流量を増加し、排熱ライン側を流れる流体の温度が下降すれば、排熱焚再生器に連通する第１の分岐ラインを流過する稀溶液の流量を減少する制御を行う様に構成されていることを特徴とする吸収冷温水機。
【請求項３】
吸収器と、高温再生器と、低温再生器と、排熱焚再生器と、凝縮器と、蒸発器とを有する吸収冷温水機において、吸収器から送出された稀溶液が流過する稀溶液ラインは、第１の分岐点で、低温溶液熱交換器が介装されている第１の分岐ラインと、冷媒ドレン熱交換器が介装されている第２の分岐ラインとに分岐されており、高温再生器で再生した冷媒蒸気が流れるラインの低温再生器と凝縮器の間の領域が前記冷媒ドレン熱交換器と熱的に連通しており、低温再生器を経由した後の冷媒が保有するエンタルピーが前記第２の分岐ラインを流れる稀溶液へ投入される様に構成されており、前記第１の分岐点に介装された三方弁と、吸収器の出口における吸収溶液の温度を検出する温度センサと、該温度センサの検知信号により前記三方弁を開閉制御する制御手段とを設け、該制御手段は、吸収器の出口における吸収溶液の温度が上昇すれば、排熱焚再生器に連通する第１の分岐ラインを流過する稀溶液の流量を減少し、吸収器の出口における吸収溶液の温度が下降すれば、排熱焚再生器に連通する第１の分岐ラインを流過する稀溶液の流量を増加する制御を行う様に構成されていることを特徴とする吸収冷温水機。
【請求項４】
前記第１の分岐ラインは、低温溶液熱交換器を経由した後に前記第２の分岐ラインとは合流せずに排熱焚再生器に連通し、該排熱焚再生器から高温再生器に向かうラインは、排熱焚再生器と高温溶液熱交換器の間の第１の合流点で前記第２の分岐ラインと合流して高温再生器に連通し、高温再生器で加熱された吸収溶液は、中間濃度溶液ラインを流れて低温再生器へ流入し、低温再生器で加熱された後に高濃度溶液ラインを流れ、低温溶液熱交換器を経由して吸収器に戻る様に構成されている請求項１−３の何れか１項の吸収冷温水機。
【請求項５】
前記第１の分岐ラインは、低温溶液熱交換器を経由した後に前記第２の分岐ラインとは合流せずに排熱焚再生器に連通し、該排熱焚再生器から高温再生器に向かうラインは、高温溶液熱交換器と高温再生器の間の第１の合流点で前記第２の分岐ラインと合流して高温再生器に連通し、高温再生器で加熱された吸収溶液は中間濃度溶液ラインを流れて低温再生器へ流入し、低温再生器で加熱された後に高濃度溶液ラインを流れ、低温溶液熱交換器を経由して吸収器に戻る様に構成されている請求項１−３の何れか１項の吸収冷温水機。
【請求項６】
前記第１及び第２の分岐ラインは低温溶液熱交換器或いは冷媒ドレン熱交換器を経由してから直ちに第１の合流点で合流し、第２の分岐点で高温再生器に連通するラインと排熱焚再生器に連通するラインに分岐し、高温再生器に連通するラインを流れる稀溶液は高温溶液熱交換器を経由して高温再生器へ流入し、排熱焚再生器に連通するラインを流れる稀溶液は排熱焚再生器で加熱されて低温再生器に流入し、低温再生器で加熱された吸収溶液が流れるラインは、高温再生器からの溶液ラインと第２の合流点で合流し、低温溶液熱交換器を経由して吸収器へ連通しており、前記三方弁は第１の分岐点ではなく、第２の分岐点に介装されている請求項１−３の何れか１項の吸収冷温水機。
【請求項７】
前記第１の分岐ラインは、低温溶液熱交換器を経由した後に前記第２の分岐ラインとは合流せずに、第２の分岐点で高温再生器に連通するラインと排熱焚再生器に連通するラインに分岐し、高温再生器に連通するラインを流れる稀溶液は高温溶液熱交換器を経由して高温再生器へ流入し、排熱焚再生器に連通するラインは第１の合流点で前記第２の分岐ラインと合流し、該ラインを流れる稀溶液は排熱焚再生器で加熱されて低温再生器に流入し、低温再生器で加熱された吸収溶液が流れるラインは高温再生器からの溶液ラインと第２の合流点で合流し、低温溶液熱交換器を経由して吸収器へ連通しており、第１の分岐点に介装された前記三方弁に代えて、第２の分岐点に介装された三方弁を設けている請求項１−３の何れか１項の吸収冷温水機。
【請求項８】
前記第１の分岐ラインは、低温溶液熱交換器を経由した後に前記第２の分岐ラインとは合流せずに、第２の分岐点で高温再生器に連通するラインと排熱焚再生器に連通するラインに分岐し、高温再生器に連通するラインを流れる稀溶液は高温溶液熱交換器を経由して高温再生器へ流入し、排熱焚再生器に連通するラインは第１の合流点で前記第２の分岐ラインと合流し、該ラインを流れる稀溶液は排熱焚再生器で加熱されて低温再生器に流入し、低温再生器で加熱された吸収溶液が流れるラインは高温再生器からの溶液ラインと第２の合流点で合流し、低温溶液熱交換器を経由して吸収器へ連通している請求項１−３の何れか１項の吸収冷温水機。
【請求項９】
前記第１の分岐ラインは、低温溶液熱交換器を経由した後に前記第２の分岐ラインとは合流せずに、第２の分岐点で高温再生器に連通するラインと排熱焚再生器に連通するラインに分岐し、高温再生器に連通するラインは第２の分岐点と高温溶液熱交換器の間の第１の合流点で前記第２の分岐ラインと合流して高温再生器へ連通し、排熱焚再生器に連通するラインを流れる稀溶液は排熱焚再生器で加熱されて低温再生器に流入し、低温再生器で加熱された吸収溶液が流れるラインは高温再生器からの溶液ラインと第２の合流点で合流し、低温溶液熱交換器を経由して吸収器へ連通しており、第１の分岐点に介装された前記三方弁に代えて、第２の分岐点に介装された三方弁を設けている請求項１−３の何れか１項の吸収冷温水機。
【請求項１０】
前記第１の分岐ラインは、低温溶液熱交換器を経由した後に前記第２の分岐ラインとは合流せずに、第２の分岐点で高温再生器に連通するラインと排熱焚再生器に連通するラインに分岐し、高温再生器に連通するラインは第２の分岐点と高温溶液熱交換器の間の第１の合流点で前記第２の分岐ラインと合流して高温再生器へ連通し、排熱焚再生器に連通するラインを流れる稀溶液は排熱焚再生器で加熱されて低温再生器に流入し、低温再生器で加熱された吸収溶液が流れるラインは高温再生器からの溶液ラインと第２の合流点で合流し、低温溶液熱交換器を経由して吸収器へ連通している請求項１−３の何れか１項の吸収冷温水機。
【請求項１１】
前記第１の分岐ラインは、低温溶液熱交換器を経由した後に前記第２の分岐ラインとは合流せずに、第２の分岐点で高温再生器に連通するラインと排熱焚再生器に連通するラインに分岐し、高温再生器に連通するラインは高温溶液熱交換器と高温再生器の間の第１の合流点で前記第２の分岐ラインと合流して高温再生器へ連通し、排熱焚再生器に連通するラインを流れる稀溶液は排熱焚再生器で加熱されて低温再生器に流入し、低温再生器で加熱された吸収溶液が流れるラインは高温再生器からの溶液ラインと第２の合流点で合流し、低温溶液熱交換器を経由して吸収器へ連通しており、第１の分岐点に介装された前記三方弁に代えて、第２の分岐点に介装された三方弁を設けている請求項１−３の何れか１項の吸収冷温水機。
【請求項１２】
前記第１の分岐ラインは、低温溶液熱交換器を経由した後に前記第２の分岐ラインとは合流せずに、第２の分岐点で高温再生器に連通するラインと排熱焚再生器に連通するラインに分岐し、高温再生器に連通するラインは高温溶液熱交換器と高温再生器の間の第１の合流点で前記第２の分岐ラインと合流して高温再生器へ連通し、排熱焚再生器に連通するラインを流れる稀溶液は排熱焚再生器で加熱されて低温再生器に流入し、低温再生器で加熱された吸収溶液が流れるラインは高温再生器からの溶液ラインと第２の合流点で合流し、低温溶液熱交換器を経由して吸収器へ連通している請求項１−３の何れか１項の吸収冷温水機。
【請求項１３】
前記第１の分岐ラインは、低温溶液熱交換器を経由した後に前記第２の分岐ラインとは合流せずに排熱焚再生器に連通し、排熱焚再生器で加熱された吸収溶液が流れるラインは、第２の分岐点で高温再生器に連通するラインと低温再生器に連通するラインに分岐し、高温再生器に連通するラインを流れる稀溶液は高温溶液熱交換器を経由して高温再生器へ流入し、低温再生器に連通するラインは第１の合流点で前記第２の分岐ラインと合流し、該ラインを流れる稀溶液は低温再生器に流入して加熱され、低温再生器で加熱された吸収溶液が流れるラインは、高温再生器からの溶液ラインと第２の合流点で合流し、低温溶液熱交換器を経由して吸収器へ連通する請求項１−３の何れか１項の吸収冷温水機。
【請求項１４】
前記第１の分岐ラインは、低温溶液熱交換器を経由した後に前記第２の分岐ラインとは合流せずに排熱焚再生器に連通し、排熱焚再生器で加熱された吸収溶液が流れるラインは、第２の分岐点で高温再生器に連通するラインと低温再生器に連通するラインに分岐し、高温再生器に連通するラインは、第２の分岐点と高温溶液熱交換器の間の第１の合流点で前記第２の分岐ラインと合流して高温再生器へ連通し、低温再生器に連通するラインを流れる稀溶液は低温再生器に流入して加熱され、低温再生器で加熱された吸収溶液が流れるラインは、高温再生器からの溶液ラインと第２の合流点で合流し、低温溶液熱交換器を経由して吸収器へ連通する請求項１−３の何れか１項の吸収冷温水機。
【請求項１５】
前記第１の分岐ラインは、低温溶液熱交換器を経由した後に前記第２の分岐ラインとは合流せずに排熱焚再生器に連通し、排熱焚再生器で加熱された吸収溶液が流れるラインは、第２の分岐点で高温再生器に連通するラインと低温再生器に連通するラインに分岐し、高温再生器に連通するラインは、高温溶液熱交換器と高温再生器の間の第１の合流点で前記第２の分岐ラインと合流して高温再生器へ連通し、低温再生器に連通するラインを流れる稀溶液は低温再生器に流入して加熱され、低温再生器で加熱された吸収溶液が流れるラインは、高温再生器からの溶液ラインと第２の合流点で合流し、低温溶液熱交換器を経由して吸収器へ連通する請求項１−３の何れか１項の吸収冷温水機。
【請求項１６】
前記第１の分岐ラインは、低温溶液熱交換器を経由した後に前記第２の分岐ラインとは合流せずに排熱焚再生器に連通し、排熱焚再生器で加熱された吸収溶液が流れるラインは低温再生器に連通し、低温再生器で加熱された吸収溶液が流れるラインは、低温再生器と高温溶液熱交換器の間における第１の合流点で前記第２の分岐ラインと合流して高温再生器へ連通し、高温再生器で加熱された吸収溶液は吸収器へ戻される請求項１−３の何れか１項の吸収冷温水機。
【請求項１７】
前記第１の分岐ラインは、低温溶液熱交換器を経由した後に前記第２の分岐ラインとは合流せずに排熱焚再生器に連通し、排熱焚再生器で加熱された吸収溶液が流れるラインは低温再生器に連通し、低温再生器で加熱された吸収溶液が流れるラインは、高温溶液熱交換器と高温再生器の間の第１の合流点で前記第２の分岐ラインと合流して高温再生器へ連通し、高温再生器で加熱された吸収溶液は吸収器（２２）へ戻される請求項１−３の何れか１項の吸収冷温水機。
【請求項１８】
前記第１の分岐ラインは、低温溶液熱交換器を経由した後に前記第２の分岐ラインとは合流せずに排熱焚再生器に連通し、排熱焚再生器で加熱された吸収溶液が流れるラインは、第１の合流点で前記第２の分岐ラインと合流して低温再生器に連通し、低温再生器で加熱された吸収溶液が流れるラインは高温再生器へ連通し、高温再生器で加熱された吸収溶液は吸収器へ戻される請求項１−３の何れか１項の吸収冷温水機。
【請求項１９】
吸収器と、高温再生器と、低温再生器と、排熱焚再生器と、凝縮器と、蒸発器とを有し、吸収器から送出された稀溶液が流過する稀溶液ラインは、第１の分岐点で、低温溶液熱交換器が介装されている第１の分岐ラインと、冷媒ドレン熱交換器が介装されている第２の分岐ラインとに分岐されており、高温再生器で再生した冷媒蒸気が流れるラインの低温再生器と凝縮器の間の領域が前記冷媒ドレン熱交換器と熱的に連通しており、低温再生器を経由した後の冷媒が保有するエンタルピーが前記第２の分岐ラインを流れる稀溶液へ投入される様に構成されており、前記第１の分岐点に介装された三方弁と、排熱焚再生器と熱的に連通する排熱ラインと排熱源に連通するラインとの分岐箇所或いは合流箇所に介装された排熱投入用三方弁と、該排熱投入用三方弁が排熱ラインＬ２側を開放しているか閉鎖しているかを検出する開閉センサと、該開閉センサの検知信号により前記三方弁を開閉制御する制御手段とを有する吸収冷温水機の制御方法において、前記開閉センサにより前記排熱投入用三方弁が排熱ライン側を開放しているか閉鎖しているかを検出する工程と、排熱投入用三方弁が排熱ライン側を開放しているのであれば、排熱焚再生器に連通する第１の分岐ラインを流過する稀溶液の流量を所定量だけ増加し、排熱投入用三方弁が排熱ライン側を閉鎖しているのであれば、排熱焚再生器に連通する第１の分岐ラインを流過する稀溶液の流量を所定量だけ減少する工程、とを含むことを特徴とする吸収冷温水機の制御方法。
【請求項２０】
吸収器と、高温再生器と、低温再生器と、排熱焚再生器と、凝縮器と、蒸発器とを有し、吸収器から送出された稀溶液が流過する稀溶液ラインは、第１の分岐点で、低温溶液熱交換器が介装されている第１の分岐ラインと、冷媒ドレン熱交換器が介装されている第２の分岐ラインとに分岐されており、高温再生器で再生した冷媒蒸気が流れるラインの低温再生器と凝縮器の間の領域が前記冷媒ドレン熱交換器と熱的に連通しており、低温再生器を経由した後の冷媒が保有するエンタルピーが前記第２の分岐ラインを流れる稀溶液へ投入される様に構成されており、前記第１の分岐点に介装された三方弁と、排熱焚再生器と熱的に連通する排熱ラインを流れる流体の温度を検出する温度センサと、該温度センサの検知信号により前記三方弁を開閉制御する制御手段とを有する吸収冷温水機の制御方法において、前記温度センサにより排熱ラインを流れる流体の温度を検出する工程と、排熱ライン側を流れる流体の温度が上昇すれば、排熱焚再生器に連通する第１の分岐ラインを流過する稀溶液の流量を増加し、排熱ライン側を流れる流体の温度が下降すれば、排熱焚再生器に連通する第１の分岐ラインを流過する稀溶液の流量を減少する工程、とを含んでいることを特徴とする吸収冷温水機の制御方法。
【請求項２１】
吸収器と、高温再生器と、低温再生器と、排熱焚再生器と、凝縮器と、蒸発器とを有し、吸収器から送出された稀溶液が流過する稀溶液ラインは、第１の分岐点で、低温溶液熱交換器が介装されている第１の分岐ラインと、冷媒ドレン熱交換器が介装されている第２の分岐ラインとに分岐されており、高温再生器で再生した冷媒蒸気が流れるラインの低温再生器と凝縮器の間の領域が前記冷媒ドレン熱交換器と熱的に連通しており、低温再生器を経由した後の冷媒が保有するエンタルピーが前記第２の分岐ラインを流れる稀溶液へ投入される様に構成されており、前記第１の分岐点に介装された三方弁と、吸収器の出口における吸収溶液の温度を検出する温度センサと、該温度センサの検知信号により前記三方弁を開閉制御する制御手段とを有する吸収冷温水機の制御方法において、前記温度センサにより吸収器の出口における吸収溶液の温度を計測する工程と、吸収器の出口における吸収溶液の温度が上昇すれば、排熱焚再生器に連通する第１の分岐ラインを流過する稀溶液の流量を減少し、吸収器の出口における吸収溶液の温度が下降すれば、排熱焚再生器に連通する第１の分岐ラインを流過する稀溶液の流量を増加する工程、とを有していることを特徴とする吸収冷温水機の制御方法。
【発明の詳細な説明】
【０００１】
【発明の属する技術分野】
本発明は、吸収器と、高温再生器と、低温再生器と、凝縮器と、蒸発器とを有する吸収冷温水機に関し、特に、所謂「一重二重効用」と呼ばれる吸収冷温水機に関する。
【０００２】
【従来の技術】
図２８は、所謂「パラレルフロー」タイプとして構成された従来の一重二重効用吸収冷温水機を示している。
図２８において、吸収器２２からポンプ２４により送出された稀溶液は、稀溶液ラインＬ１を流過し、低温溶液熱交換器２６を経て、分岐点Ｐ１で、高温再生器４４に連通するラインＬ１−１と、排熱焚再生器に連通するラインＬ１−２とに分岐する。
【０００３】
ラインＬ１−２を流れる稀溶液は、排熱焚再生器３０に供給される。排熱焚再生器３０においては、稀溶液に対して、排熱ラインＬ２を流れる排熱流体（例えば温排水等）が保有するエンタルピー（顕熱）が付加されて、加熱・一部再生される。
排熱焚再生器３０において再生された冷媒蒸気はラインＬ１３を流れて凝縮器５０へ流入する。
【０００４】
排熱焚再生器３０で加熱された吸収溶液は、ラインＬ１−２１を経由して低温再生器４８に供給される。
【０００５】
一方、分岐点Ｐ１で分岐した他方のラインＬ１−１は、高温溶液熱交換器４２を経由して、高温再生器４４に送られる。
高温再生器４４においては、例えばバーナ機構４５等の加熱手段により吸収溶液が加熱・濃縮され、これにより発生（再生）した冷媒蒸気（水蒸気）は蒸気ラインＬ１１を流れ、低温再生器４８を介して凝縮器５０（第１の凝縮器）に送られる。
【０００６】
そして、低温再生器４８において、蒸気が保有するエンタルピーにより、（ラインＬ１−２１を経由して排熱焚再生器３０から流入した）吸収溶液が再生される。そして再生した冷媒蒸気は、ラインＬ１５を介して凝縮器５０へ送られ、低温再生器４８で加熱した吸収溶液はラインＬ１−２２を流過する。
【０００７】
高温再生器４４で加熱・凝縮された吸収溶液（中間濃度溶液）は、溶液ラインＬ３を流れ、合流点Ｐ２で低温再生器４８からのラインＬ１−２２と合流する。ラインＬ３とラインＬ１−２２は、合流した後、低温溶液熱交換器２６を経由して、吸収器２２に戻る。
【０００８】
凝縮器５０で凝縮した液相冷媒は、ラインＬ５を流れて蒸発器５２へ供給される。蒸発器５２で冷水ライン（図示せず）を流れる冷水から気化熱を奪って蒸発した冷媒蒸気は、ラインＬ１７を流れて、吸収器２２へ流入する。
【０００９】
係る従来技術において、分岐点Ｐ１で分岐する２本のラインＬ１−１、Ｌ１−２を流れる吸収溶液の流量は、吸収冷温水機の圧力バランスに基いて、一定量に決定される。
これに対して、排熱ラインＬ２を経由して排熱焚再生器３０に供給される排熱（或いは、排熱ラインＬ２を流れる排熱流体が保有する熱量）は、図示しない排熱源の状態により変動する。
【００１０】
ここで、排熱ラインＬ２を流れる排熱流体の温度が、排熱焚再生器３０内の吸収溶液温度よりも十分に高温であれば、ラインＬ１−２を流れる吸収溶液流量を増加することにより、排熱焚再生器３０における再生量が増大し、高温再生器４４の加熱手段４５の高質燃料消費量を抑制して、吸収冷温水機の効率を向上出来る。
一方、排熱ラインＬ２を流れる排熱流体温度が、排熱焚再生器３０内の吸収溶液温度に対して十分に高温とは言い得ない場合には、排熱焚再生器３０における再生量は減少し、最悪の場合には、吸収溶液が保有する熱量が排熱流体へ（熱的に）逆流してしまう恐れがある。この様な場合には、ラインＬ１−１の流量を増加して、ラインＬ１−２の流量を減少する方が、吸収冷温水機の効率は良くなる。
従って、排熱流体の温度と、吸収溶液の温度とを比較して、ラインＬ１−１、Ｌ１−２を流れる吸収溶液流量を変更させることが、吸収冷温水機の効率を向上させるという見地からは好ましい。
【００１１】
しかし、排熱流体の温度と、吸収溶液の温度とを比較して、排熱焚再生器３０へ流入する吸収溶液流量を決定する様な吸収冷温水機は、現時点では存在しない。排熱流体の温度及び吸収溶液の温度には無関係に、吸収冷温水機内の溶液循環系における圧力バランスに基いて、排熱焚再生器３０へ流入する吸収溶液流量が無作為に決定されてしまうのが、現状である。
従って、排熱流体温度が高いのに排熱焚再生器３０へ流入する吸収溶液流量が少なかったり、或いは、排熱流体温度が低いのに排熱焚再生器３０へ流入する吸収溶液流量が多かったりして、吸収冷温水機の効率を向上するのに逆効してしまう、という問題点が存在する。
【００１２】
この様な問題点に対して、図２９で示す様に、吸収器（高圧側吸収器）２２Ｈから出る２本の稀溶液ラインＬ１−１１、Ｌ１−１２を設けることにより、対処することが考えられる。
すなわち、ラインＬ１−１１はポンプＰ１０−１によりヘッドが付加され高温溶液熱交換器４２を介して高温再生器４４に連通し、ラインＬ１−１２はポンプＰ１０−２によりヘッドが付加され低温溶液熱交換器２６を介して排熱焚再生器３０に連通する様に構成し、ポンプＰ１０−１、Ｐ１０−２の吐出流量を制御することにより、吸収溶液温度と排熱温度とに基いて、排熱再生器３０に流入する吸収溶液流量を調節し、以って、吸収冷温水機の効率を向上せしめることが可能である。
【００１３】
しかし、吸収器からラインを２本出して、各々のラインにポンプを介装し、各ポンプの吐出流量を（吸収溶液温度と排熱温度とに基いて）制御することは、構成を煩雑化して、吸収冷温水機製造コストを高騰化してしまう、という問題を生じてしまう。
【００１４】
【発明が解決しようとする課題】
本発明は上述した従来技術の問題点に鑑みて提案されたものであり、排熱焚再生器へ流入する吸収溶液流量を制御して、吸収冷温水機の効率を向上することが出来る様な吸収冷温水機及びその制御方法の提供を目的としている。
【００１５】
【課題を解決するための手段】
本発明の吸収冷温水機は、吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通しており、低温再生器（４８）を経由した後の冷媒（Ｌ１１−７０を流れる冷媒）が保有するエンタルピーが前記第２の分岐ライン（Ｌ１−２）を流れる稀溶液へ投入される様に構成されており、前記第１の分岐点（ＢＰ）に介装された三方弁（Ｖ１）と、排熱焚再生器（３０）と熱的に連通する排熱ライン（Ｌ２）と排熱源に連通するライン（Ｌ２Ｇ）との分岐箇所或いは合流箇所に介装された排熱投入用三方弁（ＶＥ）と、該排熱投入用三方弁（ＶＥ）が排熱ラインＬ２側を開放しているか閉鎖しているかを検出する開閉センサ（Ｓ１）と、該開閉センサ（Ｓ１）の検知信号により前記三方弁（Ｖ１）を開閉制御する制御手段（１５０）とを設け、該制御手段（１５０）は、排熱投入用三方弁（ＶＥ）が排熱ライン（Ｌ２）側を開放しているのであれば、排熱焚再生器（３０）に連通する第１の分岐ライン（Ｌ１−１）を流過する稀溶液の流量を所定量だけ増加し、排熱投入用三方弁（ＶＥ）が排熱ライン（Ｌ２）側を閉鎖しているのであれば、排熱焚再生器（３０）に連通する第１の分岐ライン（Ｌ１−１）を流過する稀溶液の流量を、所定量だけ減少する制御を行う様に構成されている。（図１、図２）
ここで、排熱源に連通するライン（Ｌ２Ｇ）を流れる排熱流体温度が低温であり、排熱投入用三方弁（ＶＥ）が排熱ライン（Ｌ２）側を閉鎖して、排熱ライン（Ｌ２）及び排熱焚再生器（３０）をバイパスしている場合には、吸収冷温水機の効率化という観点に着目すれば、排熱焚再生器（３０）に連通する第１分岐ライン（Ｌ１−１）に多量の稀溶液を流過させる必要は無い。
一方、排熱源に連通するライン（Ｌ２Ｇ）を流れる排熱流体が高温で、排熱投入用三方弁（ＶＥ）が排熱ライン（Ｌ２）側を開放して、大量の排熱を排熱焚再生器（３０）に対して投入出来る場合には、排熱焚再生器（３０）に連通する第１分岐ライン（Ｌ１−１）に多量の稀溶液が流過する方が、吸収冷温水機の効率化に寄与する。
上述した様な構成を具備する本発明によれば、排熱ライン（Ｌ２）側が開放されているか否か、換言すれば排熱焚再生器（３０）に排熱が投入されているか否かを判断し、排熱焚再生器（３０）に供給される稀溶液流量（第１分岐ラインＬ１−１を流れる吸収溶液流量）を制御しているので、排熱が有効利用されて、高温再生器（４４）で消費される高質燃料量を抑制して、吸収冷温水機の効率をさらに向上出来るのである。
【００１６】
また本発明の吸収冷温水機は、吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通しており、低温再生器（４８）を経由した後の冷媒（Ｌ１１−７０を流れる冷媒）が保有するエンタルピーが前記第２の分岐ライン（Ｌ１−２）を流れる稀溶液へ投入される様に構成されており、前記第１の分岐点（ＢＰ）に介装された三方弁（Ｖ１）と、排熱焚再生器（３０）と熱的に連通する排熱ライン（Ｌ２）を流れる流体の温度（Ｔｗ）を検出する温度センサ（Ｓ２）と、該温度センサ（Ｓ２）の検知信号により前記三方弁（Ｖ１）を開閉制御する制御手段（１５０）とを設け、該制御手段（１５０）は、排熱ライン（Ｌ２）側を流れる流体の温度（Ｔｗ）が上昇すれば、排熱焚再生器（３０）に連通する第１の分岐ライン（Ｌ１−１）を流過する稀溶液の流量を増加し、排熱ライン（Ｌ２）側を流れる流体の温度（Ｔｗ）が下降すれば、排熱焚再生器（３０）に連通する第１の分岐ライン（Ｌ１−１）を流過する稀溶液の流量を減少する制御を行う様に構成されている。（図３、図４）
上述した様な構成を具備する本発明によれば、排熱ライン（Ｌ２）を流れる温度（Ｔｗ）が上昇し、排熱焚再生器（３０）に排熱が有効に投入される状態であるかか否かを判断し、排熱焚再生器（３０）に供給される稀溶液流量（第１分岐ラインＬ１−１を流れる吸収溶液流量）を制御している。従って、排熱流体が保有する熱量（排熱）が投入可能か否かに基いて、第１分岐ライン（Ｌ１−１）を流れる吸収溶液流量を制御しているので、排熱の有効利用、高質燃料消費量の抑制を実現して、吸収冷温水機の効率をさらに向上している。
【００１７】
さらに本発明の吸収冷温水機は、吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通しており、低温再生器（４８）を経由した後の冷媒（Ｌ１１−７０を流れる冷媒）が保有するエンタルピーが前記第２の分岐ライン（Ｌ１−２）を流れる稀溶液へ投入される様に構成されており、前記第１の分岐点（ＢＰ）に介装された三方弁（Ｖ１）と、吸収器（２２）の出口における吸収溶液の温度（Ｔａ）を検出する温度センサ（Ｓ３）と、該温度センサ（Ｓ３）の検知信号により前記三方弁（Ｖ１）を開閉制御する制御手段（１５０）とを設け、該制御手段（１５０）は、吸収器（２２）の出口における吸収溶液の温度（Ｔａ）が上昇すれば、排熱焚再生器（３０）に連通する第１の分岐ライン（Ｌ１−１）を流過する稀溶液の流量を減少し、吸収器（２２）の出口における吸収溶液の温度（Ｔａ）が下降すれば、排熱焚再生器（３０）に連通する第１の分岐ライン（Ｌ１−１）を流過する稀溶液の流量を増加する制御を行う様に構成されている。（図５、図６）。
上述した様な構成を具備する本発明によれば、吸収器（２２）の出口における吸収溶液の温度（Ｔａ）が下降すれば、吸収溶液濃度が薄くなり、飽和温度が下がるため、同一熱量が投入されても排熱焚再生器（３０）における再生量が増加する。一方、吸収器（２２）の出口における吸収溶液の温度（Ｔａ）が上昇すれば、吸収溶液濃度が濃くなり、飽和温度が上がるため、同一熱量が投入されても排熱焚再生器（３０）における再生量は減少する。
本発明では、吸収器出口温度（Ｔａ）を計測することにより、吸収溶液（或いは稀溶液）濃度が薄いか濃いか、換言すれば、飽和温度が低い（再生し易い）か高い（再生し難い）かを判断し、それに基いて、排熱焚再生器（３０）に供給される稀溶液流量（第１分岐ラインＬ１−１を流れる吸収溶液流量）を制御している。すなわち、排熱焚再生器に投入される排熱による再生量が増加するか否かに基いて、第１分岐ライン（Ｌ１−１）を流れる吸収溶液流量が制御され、排熱を有効利用し、高質燃料消費量を抑制して、吸収冷温水機の効率をさらに向上している。
【００１８】
本発明の実施に際して、排熱ライン（Ｌ２）に排熱流体が流過しているか否かを検出する開閉センサ（Ｓ１）と、排熱流体温度（Ｔｗ）を検出する温度センサ（Ｓ２）と、吸収器（２２）の出口における吸収溶液温度（Ｔａ：吸収器出口温度）を検出する温度センサ（Ｓ３）の内の何れか２つを設け、或いは３つ全てを設け、各センサで検出される各パラメータを全て参照して、制御行われる様に構成することが出来る（図７、図８）。
【００１９】
本発明において、前記第１の分岐ライン（Ｌ１−１）は、低温溶液熱交換器（２６）を経由した後に前記第２の分岐ライン（Ｌ１−２）とは合流せずに排熱焚再生器（３０）に連通し、該排熱焚再生器（３０）から高温再生器（４４）に向かうライン（Ｌ１−１４４）は、排熱焚再生器（３０）と高温溶液熱交換器（４２）の間の第１の合流点（ＧＰ）で前記第２の分岐ライン（Ｌ１−２）と合流して高温再生器（４４）に連通し（Ｌ１−４４）、高温再生器（４４）で加熱された吸収溶液は、中間濃度溶液ライン（Ｌ３）を流れて低温再生器（４８）へ流入し、低温再生器（４８）で加熱された後に高濃度溶液ライン（Ｌ４）を流れ、低温溶液熱交換器（２６）を経由して吸収器（２２）に戻る様に構成することが好ましい（図１−図８：シリーズフロータイプ）。
【００２０】
或いは、前記第１の分岐ライン（Ｌ１−１）は、低温溶液熱交換器（２６）を経由した後に前記第２の分岐ライン（Ｌ１−２）とは合流せずに排熱焚再生器（３０）に連通し、該排熱焚再生器（３０）から高温再生器（４４）に向かうライン（Ｌ１−１４４）は、高温溶液熱交換器（４２）と高温再生器（４４）の間の第１の合流点（ＧＰ）で前記第２の分岐ライン（Ｌ１−２）と合流して高温再生器（４４）に連通し、高温再生器（４４）で加熱された吸収溶液は中間濃度溶液ライン（Ｌ３）を流れて低温再生器（４８）へ流入し、低温再生器（４８）で加熱された後に高濃度溶液ライン（Ｌ４）を流れ、低温溶液熱交換器（２６）を経由して吸収器（２２）に戻る様に構成するのが好ましい（図９：シリーズフロータイプ）。
【００２１】
そして本発明は、前記第１及び第２の分岐ライン（Ｌ１−１、Ｌ１−２）は低温溶液熱交換器（２６）或いは冷媒ドレン熱交換器（７０）を経由してから直ちに第１の合流点（ＧＰ）で合流し、第２の分岐点（Ｐ１）で高温再生器（４４）に連通するライン（Ｌ１−３）と排熱焚再生器（３０）に連通するライン（Ｌ１−４）に分岐し、高温再生器（４４）に連通するライン（Ｌ１−３）を流れる稀溶液は高温溶液熱交換器（４２）を経由して高温再生器（４４）へ流入し、排熱焚再生器（３０）に連通するライン（Ｌ１−４）を流れる稀溶液は排熱焚再生器（３０）で加熱されて低温再生器（４８）に流入し、低温再生器（４８）で加熱された吸収溶液が流れるライン（Ｌ１−４２）は、高温再生器（４４）からの溶液ライン（Ｌ３）と第２の合流点（Ｐ２）で合流し（Ｌ４）、低温溶液熱交換器（２６）を経由して吸収器（２２）へ連通しており、前記三方弁（Ｖ１）は第１の分岐点（ＢＰ）ではなく、第２の分岐点（Ｐ１）に介装されているのが好ましい（図１０：パラレルフロータイプ）。
【００２２】
さらに本発明では、前記第１の分岐ライン（Ｌ１−１）は、低温溶液熱交換器（２６）を経由した後に前記第２の分岐ライン（Ｌ１−２）とは合流せずに、第２の分岐点（Ｐ１）で高温再生器（４４）に連通するライン（Ｌ１−３）と排熱焚再生器（３０）に連通するライン（Ｌ１−４）に分岐し、高温再生器（４４）に連通するライン（Ｌ１−３）を流れる稀溶液は高温溶液熱交換器（４２）を経由して高温再生器（４４）へ流入し、排熱焚再生器（３０）に連通するライン（Ｌ１−４）は第１の合流点（ＧＰ）で前記第２の分岐ライン（Ｌ１−２）と合流し、該ライン（合流後のＬ１−４）を流れる稀溶液は排熱焚再生器（３０）で加熱されて低温再生器（４８）に流入し、低温再生器（４８）で加熱された吸収溶液が流れるライン（Ｌ１−４２）は高温再生器（４４）からの溶液ライン（Ｌ３）と第２の合流点（Ｐ２）で合流し（Ｌ４）、低温溶液熱交換器（２６）を経由して吸収器（２２）へ連通しており、第１の分岐点（ＢＰ）に介装された前記三方弁（Ｖ１）に代えて、第２の分岐点（Ｐ１）に介装された三方弁（Ｖ２）を設けているのが好ましい（図１１：パラレルフロータイプ）。
【００２３】
或いは、前記第１の分岐ライン（Ｌ１−１）は、低温溶液熱交換器（２６）を経由した後に前記第２の分岐ライン（Ｌ１−２）とは合流せずに、第２の分岐点（Ｐ１）で高温再生器（４４）に連通するライン（Ｌ１−３）と排熱焚再生器（３０）に連通するライン（Ｌ１−４）に分岐し、高温再生器（４４）に連通するライン（Ｌ１−３）を流れる稀溶液は高温溶液熱交換器（４２）を経由して高温再生器（４４）へ流入し、排熱焚再生器（３０）に連通するライン（Ｌ１−４）は第１の合流点（ＧＰ）で前記第２の分岐ライン（Ｌ１−２）と合流し、該ライン（合流後のＬ１−４）を流れる稀溶液は排熱焚再生器（３０）で加熱されて低温再生器（４８）に流入し、低温再生器（４８）で加熱された吸収溶液が流れるライン（Ｌ１−４２）は高温再生器（４４）からの溶液ライン（Ｌ３）と第２の合流点（Ｐ２）で合流し（Ｌ４）、低温溶液熱交換器（２６）を経由して吸収器（２２）へ連通しているのが好ましい（図１２：パラレルフロータイプ）。
【００２４】
または、前記第１の分岐ライン（Ｌ１−１）は、低温溶液熱交換器（２６）を経由した後に前記第２の分岐ライン（Ｌ１−２）とは合流せずに、第２の分岐点（Ｐ１）で高温再生器（４４）に連通するライン（Ｌ１−３）と排熱焚再生器（３０）に連通するライン（Ｌ１−４）に分岐し、高温再生器（４４）に連通するライン（Ｌ１−３）を流れる稀溶液は高温溶液熱交換器（４２）を経由して高温再生器（４４）へ流入し、排熱焚再生器（３０）に連通するライン（Ｌ１−４）は第１の合流点（ＧＰ）で前記第２の分岐ライン（Ｌ１−２）と合流し、該ライン（合流後のＬ１−４）を流れる稀溶液は排熱焚再生器（３０）で加熱されて低温再生器（４８）に流入し、低温再生器（４８）で加熱された吸収溶液が流れるライン（Ｌ１−４２）は高温再生器（４４）からの溶液ライン（Ｌ３）と第２の合流点（Ｐ２）で合流し（Ｌ４）、低温溶液熱交換器（２６）を経由して吸収器（２２）へ連通しており、第１の分岐点（ＢＰ）に介装された前記三方弁（Ｖ１）に加えて、第２の分岐点（Ｐ１）に介装された三方弁（Ｖ２）を設けているのが好ましい（図１３：パラレルフロータイプ）。
【００２５】
これに加えて本発明では、前記第１の分岐ライン（Ｌ１−１）は、低温溶液熱交換器（２６）を経由した後に前記第２の分岐ライン（Ｌ１−２）とは合流せずに、第２の分岐点（Ｐ１）で高温再生器（４４）に連通するライン（Ｌ１−１１）と排熱焚再生器（３０）に連通するライン（Ｌ１−１２）に分岐し、高温再生器（４４）に連通するライン（Ｌ１−１１）は第２の分岐点（Ｐ１）と高温溶液熱交換器（４２）の間の第１の合流点（ＧＰ）で前記第２の分岐ライン（Ｌ１−２）と合流して（Ｌ１−４４）高温再生器（４４）へ連通し、排熱焚再生器（３０）に連通するライン（Ｌ１−１２）を流れる稀溶液は排熱焚再生器（３０）で加熱されて低温再生器（４８）に流入し、低温再生器（４８）で加熱された吸収溶液が流れるライン（Ｌ１−１２２）は高温再生器（４４）からの溶液ライン（Ｌ３）と第２の合流点（Ｐ２）で合流し、低温溶液熱交換器（２６）を経由して吸収器（２２）へ連通しており、第１の分岐点（ＢＰ）に介装された前記三方弁（Ｖ１）に代えて、第２の分岐点（Ｐ１）に介装された三方弁（Ｖ２）を設けているのが好ましい（図１４：パラレルフロータイプ）。
【００２６】
或いは本発明では、前記第１の分岐ライン（Ｌ１−１）は、低温溶液熱交換器（２６）を経由した後に前記第２の分岐ライン（Ｌ１−２）とは合流せずに、第２の分岐点（Ｐ１）で高温再生器（４４）に連通するライン（Ｌ１−１１）と排熱焚再生器（３０）に連通するライン（Ｌ１−１２）に分岐し、高温再生器（４４）に連通するライン（Ｌ１−１１）は第２の分岐点（Ｐ１）と高温溶液熱交換器（４２）の間の第１の合流点（ＧＰ）で前記第２の分岐ライン（Ｌ１−２）と合流して（Ｌ１−４４）高温再生器（４４）へ連通し、排熱焚再生器（３０）に連通するライン（Ｌ１−１２）を流れる稀溶液は排熱焚再生器（３０）で加熱されて低温再生器（４８）に流入し、低温再生器（４８）で加熱された吸収溶液が流れるライン（Ｌ１−１２２）は高温再生器（４４）からの溶液ライン（Ｌ３）と第２の合流点（Ｐ２）で合流し、低温溶液熱交換器（２６）を経由して吸収器（２２）へ連通しているのが好ましい（図１５：パラレルフロータイプ）。
【００２７】
本発明は、前記第１の分岐ライン（Ｌ１−１）は、低温溶液熱交換器（２６）を経由した後に前記第２の分岐ライン（Ｌ１−２）とは合流せずに、第２の分岐点（Ｐ１）で高温再生器（４４）に連通するライン（Ｌ１−１１）と排熱焚再生器（３０）に連通するライン（Ｌ１−１２）に分岐し、高温再生器（４４）に連通するライン（Ｌ１−１１）は第２の分岐点（Ｐ１）と高温溶液熱交換器（４２）の間の第１の合流点（ＧＰ）で前記第２の分岐ライン（Ｌ１−２）と合流して（Ｌ１−４４）高温再生器（４４）へ連通し、排熱焚再生器（３０）に連通するライン（Ｌ１−１２）を流れる稀溶液は排熱焚再生器（３０）で加熱されて低温再生器（４８）に流入し、低温再生器（４８）で加熱された吸収溶液が流れるライン（Ｌ１−１２２）は高温再生器（４４）からの溶液ライン（Ｌ３）と第２の合流点（Ｐ２）で合流し、低温溶液熱交換器（２６）を経由して吸収器（２２）へ連通しており、第１の分岐点（ＢＰ）に介装された前記三方弁（Ｖ１）に加えて、第２の分岐点（Ｐ１）に介装された三方弁（Ｖ２）を設けているのが好ましい（図１６：パラレルフロータイプ）。
【００２８】
本発明の実施に際して、前記第１の分岐ライン（Ｌ１−１）は、低温溶液熱交換器（２６）を経由した後に前記第２の分岐ライン（Ｌ１−２）とは合流せずに、第２の分岐点（Ｐ１）で高温再生器（４４）に連通するライン（Ｌ１−１１）と排熱焚再生器（３０）に連通するライン（Ｌ１−１２）に分岐し、高温再生器（４４）に連通するライン（Ｌ１−１１）は高温溶液熱交換器（４２）と高温再生器（４４）の間の第１の合流点（ＧＰ）で前記第２の分岐ライン（Ｌ１−２）と合流して高温再生器（４４）へ連通し、排熱焚再生器（３０）に連通するライン（Ｌ１−１２）を流れる稀溶液は排熱焚再生器（３０）で加熱されて低温再生器（４８）に流入し、低温再生器（４８）で加熱された吸収溶液が流れるライン（Ｌ１−１２２）は高温再生器（４４）からの溶液ライン（Ｌ３）と第２の合流点（Ｐ２）で合流し、低温溶液熱交換器（２６）を経由して吸収器（２２）へ連通しており、第１の分岐点（ＢＰ）に介装された前記三方弁（Ｖ１）に代えて、第２の分岐点（Ｐ１）に介装された三方弁（Ｖ２）を設けているのが好ましい（図１７：パラレルフロータイプ）。
【００２９】
本発明の実施に際して、前記第１の分岐ライン（Ｌ１−１）は、低温溶液熱交換器（２６）を経由した後に前記第２の分岐ライン（Ｌ１−２）とは合流せずに、第２の分岐点（Ｐ１）で高温再生器（４４）に連通するライン（Ｌ１−１１）と排熱焚再生器（３０）に連通するライン（Ｌ１−１２）に分岐し、高温再生器（４４）に連通するライン（Ｌ１−１１）は高温溶液熱交換器（４２）と高温再生器（４４）の間の第１の合流点（ＧＰ）で前記第２の分岐ライン（Ｌ１−２）と合流して高温再生器（４４）へ連通し、排熱焚再生器（３０）に連通するライン（Ｌ１−１２）を流れる稀溶液は排熱焚再生器（３０）で加熱されて低温再生器（４８）に流入し、低温再生器（４８）で加熱された吸収溶液が流れるライン（Ｌ１−１２２）は高温再生器（４４）からの溶液ライン（Ｌ３）と第２の合流点（Ｐ２）で合流し、低温溶液熱交換器（２６）を経由して吸収器（２２）へ連通しているのが好ましい（図１８：パラレルフロータイプ）。
【００３０】
本発明の実施に際して、前記第１の分岐ライン（Ｌ１−１）は、低温溶液熱交換器（２６）を経由した後に前記第２の分岐ライン（Ｌ１−２）とは合流せずに、第２の分岐点（Ｐ１）で高温再生器（４４）に連通するライン（Ｌ１−１１）と排熱焚再生器（３０）に連通するライン（Ｌ１−１２）に分岐し、高温再生器（４４）に連通するライン（Ｌ１−１１）は高温溶液熱交換器（４２）と高温再生器（４４）の間の第１の合流点（ＧＰ）で前記第２の分岐ライン（Ｌ１−２）と合流して高温再生器（４４）へ連通し、排熱焚再生器（３０）に連通するライン（Ｌ１−１２）を流れる稀溶液は排熱焚再生器（３０）で加熱されて低温再生器（４８）に流入し、低温再生器（４８）で加熱された吸収溶液が流れるライン（Ｌ１−１２２）は高温再生器（４４）からの溶液ライン（Ｌ３）と第２の合流点（Ｐ２）で合流し、低温溶液熱交換器（２６）を経由して吸収器（２２）へ連通しており、第１の分岐点（ＢＰ）に介装された前記三方弁（Ｖ１）に加えて、第２の分岐点（Ｐ１）に介装された三方弁（Ｖ２）を設けているのが好ましい（図１９：パラレルフロータイプ）。
【００３１】
また本発明において、前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−３１）は、第２の分岐点（Ｐ１）で高温再生器（４４）に連通するライン（Ｌ１−４４）と低温再生器（４８）に連通するライン（Ｌ１−４８）に分岐し、高温再生器（４４）に連通するライン（Ｌ１−４４）を流れる稀溶液は高温溶液熱交換器（４２）を経由して高温再生器（４４）へ流入し、低温再生器（４８）に連通するライン（Ｌ１−４８）は第１の合流点（ＧＰ）で前記第２の分岐ライン（Ｌ１−２）と合流し、該ライン（合流後のＬ１−２）を流れる稀溶液は低温再生器（４８）に流入して加熱され、低温再生器（４８）で加熱された吸収溶液が流れるライン（Ｌ１−５１）は、高温再生器（４４）からの溶液ライン（Ｌ３）と第２の合流点（Ｐ２）で合流し（Ｌ４）、低温溶液熱交換器（２６）を経由して吸収器（２２）へ連通するのが好ましい（図２０：パラレルフロータイプ）。
【００３２】
或いは、前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−３１）は、第２の分岐点（Ｐ１）で高温再生器（４４）に連通するライン（Ｌ１−４４）と低温再生器（４８）に連通するライン（Ｌ１−４８）に分岐し、高温再生器（４４）に連通するライン（Ｌ１−４４）は、第２の分岐点（Ｐ１）と高温溶液熱交換器（４２）の間の第１の合流点（ＧＰ）で前記第２の分岐ライン（Ｌ１−２）と合流して高温再生器（４４）へ連通し、低温再生器（４８）に連通するライン（Ｌ１−４８）を流れる稀溶液は低温再生器（４８）に流入して加熱され、低温再生器（４８）で加熱された吸収溶液が流れるライン（Ｌ１−４９）は、高温再生器（４４）からの溶液ライン（Ｌ３）と第２の合流点（Ｐ２）で合流し、低温溶液熱交換器を経由して吸収器へ連通するのが好ましい（図２１：パラレルフロータイプ）。
【００３３】
そして、前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−３１）は、第２の分岐点（Ｐ１）で高温再生器（４４）に連通するライン（Ｌ１−４４）と低温再生器（４８）に連通するライン（Ｌ１−４８）に分岐し、高温再生器（４４）に連通するライン（Ｌ１−４４）は、高温溶液熱交換器（４２）と高温再生器（４４）の間の第１の合流点（ＧＰ）で前記第２の分岐ライン（Ｌ１−２）と合流して（Ｌ１−４６）高温再生器（４４）へ連通し、低温再生器（４８）に連通するライン（Ｌ１−４８）を流れる稀溶液は低温再生器（４８）に流入して加熱され、低温再生器（４８）で加熱された吸収溶液が流れるライン（Ｌ１−４９）は、高温再生器（４４）からの溶液ライン（Ｌ３）と第２の合流点（Ｐ２）で合流し、低温溶液熱交換器を経由して吸収器へ連通するのが好ましい（図２２：パラレルフロータイプ）。
【００３４】
本発明の実施に際して、前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−１３０）は低温再生器（４８）に連通し、低温再生器（４８）で加熱された吸収溶液が流れるライン（Ｌ６）は、低温再生器（４８）と高温溶液熱交換器（４２）の間における第１の合流点（ＧＰ）で前記第２の分岐ライン（Ｌ１−２）と合流して高温再生器（４４）へ連通し、高温再生器（４４）で加熱された吸収溶液は吸収器（２２）へ戻されるのが好ましい（図２３：リバースフロータイプ）。
【００３５】
そして、前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−１３０）は低温再生器（４８）に連通し、低温再生器（４８）で加熱された吸収溶液が流れるライン（Ｌ６）は、高温溶液熱交換器（４２）と高温再生器（４４）の間の第１の合流点（ＧＰ）で前記第２の分岐ライン（Ｌ１−２）と合流して（Ｌ６−４４）高温再生器（４４）へ連通し、高温再生器（４４）で加熱された吸収溶液は吸収器（２２）へ戻されるのが好ましい（図２４：リバースフロータイプ）。
【００３６】
これに加えて、前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−１３０）は、第１の合流点（ＧＰ）で前記第２の分岐ライン（Ｌ１−２）と合流して（Ｌ１−４８）低温再生器（４８）に連通し、低温再生器（４８）で加熱された吸収溶液が流れるライン（Ｌ６）は高温再生器（４４）へ連通し、高温再生器（４４）で加熱された吸収溶液は吸収器（２２）へ戻されるのが好ましい（図２５：リバースフロータイプ）。
【００３７】
本発明の実施に際しては、吸収器及び蒸発器（所謂「下胴」部分）が低圧側と高圧側の２段に構成されており、吸収冷温水機の効率化を企図しているのが好ましい（図２６、図２７）。
また、低圧側吸収器（２２Ｌ）には溶液冷却吸収器（７４）が設けられており、低圧側吸収器（２２Ｌ）内で滴下される濃縮された吸収溶液が保有するエンタルピーを稀溶液に投入し、以って、稀溶液温度を上昇せしめ、その分だけ再生し易くして、吸収冷温水機の効率を改善するのが好ましい（図２６、図２７）。
さらに、高温溶液熱交換器（４２）と高温再生器（４４）の間の領域に、高質燃料排熱投入用熱交換器（７６）が介装されており、該熱交換器（７６）を介して、当該領域を流れる吸収溶液に、高質燃料排熱ライン（Ｌ２０）を流れる高質燃料排熱（バーナ機構４５の加熱手段で吸収溶液を加熱した後に系外に廃棄される排熱）が投入されているのが好ましい（図２６、図２７）。
【００３８】
本発明によれば、低温再生器を経由した後の冷媒（Ｌ１１−７０を流れる冷媒）が保有するエンタルピーが、前記冷媒ドレン熱交換器（７０）を介して、前記第２の分岐ライン（Ｌ１−２）を流れる稀溶液へ投入される様に構成されている。そして、前記第２の分岐ライン（Ｌ１−２）には前記冷媒ドレン熱交換器（７０）のみが介装されており、低温溶液熱交換器（２６）は介装されていない。従って、前記冷媒ドレン熱交換器（７０）を介して、低温再生器を経由した後の冷媒（Ｌ１１−７０を流れる冷媒）が保有するエンタルピーが、広い温度範囲に亘って、前記第２の分岐ライン（Ｌ１−２）を流れる稀溶液へ投入される。
【００３９】
低温溶液熱交換器（２６）で加熱された後の稀溶液（前記第１の分岐ラインＬ１−１を流れる稀溶液温度）の温度が、例えば６０℃−７５℃であり、低温再生器（４８）を加熱・再生した後の冷媒の温度が例えば９０℃であるとしても、前記第２の分岐ライン（Ｌ１−２）に流入する稀溶液温度は前記第１の分岐ライン（Ｌ１−１）を流れる稀溶液温度よりも遥かに低いので、７５℃−９０℃の温度範囲のエンタルピーは勿論、４０℃−７５℃の温度範囲のエンタルピー（顕熱）も、第２の分岐ライン（Ｌ１−２）を流れる稀溶液を昇温するのに用いられる。すなわち、上述した本発明によれば、高温再生器（４４）に供給される高質燃料が有効に利用されると共に、吸収溶液が効率的に昇温されるので、吸収冷温水機の効率が改善される。
【００４０】
本発明の吸収冷温水機の制御方法は、吸収器（２２）と、高温再生器（４４）と、低温再生器（４８）と、排熱焚再生器（３０）と、凝縮器（５０）と、蒸発器（５２）とを有し、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通しており、低温再生器（４８）を経由した後の冷媒（Ｌ１１−７０を流れる冷媒）が保有するエンタルピーが前記第２の分岐ライン（Ｌ１−２）を流れる稀溶液へ投入される様に構成されており、前記第１の分岐点（ＢＰ）に介装された三方弁（Ｖ１）と、排熱焚再生器（３０）と熱的に連通する排熱ライン（Ｌ２）と排熱源に連通するライン（Ｌ２Ｇ）との分岐箇所或いは合流箇所に介装された排熱投入用三方弁（ＶＥ）と、該排熱投入用三方弁（ＶＥ）が排熱ライン（Ｌ２）側を開放しているか閉鎖しているかを検出する開閉センサ（Ｓ１）と、該開閉センサ（Ｓ１）の検知信号により前記三方弁（Ｖ１）を開閉制御する制御手段（１５０）とを有する吸収冷温水機の制御方法において、前記開閉センサ（Ｓ１）により前記排熱投入用三方弁（ＶＥ）が排熱ラインＬ２側を開放しているか閉鎖しているかを検出する工程と、排熱投入用三方弁（ＶＥ）が排熱ライン（Ｌ２）側を開放しているのであれば、排熱焚再生器（３０）に連通する第１の分岐ライン（Ｌ１−１）を流過する稀溶液の流量を所定量だけ増加し、排熱投入用三方弁（ＶＥ）が排熱ライン（Ｌ２）側を閉鎖しているのであれば、排熱焚再生器（３０）に連通する第１の分岐ライン（Ｌ１−１）を流過する稀溶液の流量を、所定量だけ減少する工程、とを含んでいる（図２）。
【００４１】
また本発明の吸収冷温水機の制御方法は、吸収器（２２）と、高温再生器（４４）と、低温再生器（４８）と、排熱焚再生器（３０）と、凝縮器（５０）と、蒸発器（５２）とを有し、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通しており、低温再生器（４８）を経由した後の冷媒（Ｌ１１−７０を流れる冷媒）が保有するエンタルピーが前記第２の分岐ライン（Ｌ１−２）を流れる稀溶液へ投入される様に構成されており、前記第１の分岐点（ＢＰ）に介装された三方弁（Ｖ１）と、排熱焚再生器（３０）と熱的に連通する排熱ライン（Ｌ２）を流れる流体の温度（Ｔｗ）を検出する温度センサ（Ｓ２）と、該温度センサ（Ｓ２）の検知信号により前記三方弁（Ｖ１）を開閉制御する制御手段（１５０）とを有する吸収冷温水機の制御方法において、前記温度センサ（Ｓ２）により排熱ライン（Ｌ２）を流れる流体の温度（Ｔｗ）を検出する工程と、排熱ライン（Ｌ２）側を流れる流体の温度（Ｔｗ）が上昇すれば、排熱焚再生器（３０）に連通する第１の分岐ライン（Ｌ１−１）を流過する稀溶液の流量を増加し、排熱ライン（Ｌ２）側を流れる流体の温度（Ｔｗ）が下降すれば、排熱焚再生器（３０）に連通する第１の分岐ライン（Ｌ１−１）を流過する稀溶液の流量を減少する工程、とを含んでいる（図４）。
【００４２】
さらに本発明の吸収冷温水機の制御方法は、吸収器（２２）と、高温再生器（４４）と、低温再生器（４８）と、排熱焚再生器（３０）と、凝縮器（５０）と、蒸発器（５２）とを有し、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通しており、低温再生器（４８）を経由した後の冷媒（Ｌ１１−７０を流れる冷媒）が保有するエンタルピーが前記第２の分岐ライン（Ｌ１−２）を流れる稀溶液へ投入される様に構成されており、前記第１の分岐点（ＢＰ）に介装された三方弁（Ｖ１）と、吸収器（２２）の出口における吸収溶液の温度（Ｔａ）を検出する温度センサ（Ｓ３）と、該温度センサ（Ｓ３）の検知信号により前記三方弁（Ｖ１）を開閉制御する制御手段（１５０）とを有する吸収冷温水機の制御方法において、前記温度センサ（Ｓ３）により吸収器（２２）の出口における吸収溶液の温度（Ｔａ）を計測する工程と、吸収器（２２）の出口における吸収溶液の温度（Ｔａ）が上昇すれば、排熱焚再生器（３０）に連通する第１の分岐ライン（Ｌ１−１）を流過する稀溶液の流量を減少し、吸収器（２２）の出口における吸収溶液の温度（Ｔａ）が下降すれば、排熱焚再生器（３０）に連通する第１の分岐ライン（Ｌ１−１）を流過する稀溶液の流量を増加する工程、とを有している（図６）。
【００４３】
【発明の実施の形態】
以下、図１−図２７を参照して、本発明の実施の形態について説明する。
なお、図示の実施形態において、同様な部材については、同様な符号が付されている。
【００４４】
図１中、全体を符号２０で示す本発明の吸収式冷温水機は、所謂「シリーズフロー」タイプとして構成されている。
図１において、吸収器２２からポンプ２４により送出された稀溶液は、稀溶液ラインＬ１を流過し、分岐点ＢＰ（第１の分岐点）において、ラインＬ１−１（第１の分岐ライン）とラインＬ１−２（第２の分岐ライン）に分岐する。ラインＬ１−１には低温溶液熱交換器２６が介装されており、ラインＬ１−２には冷媒ドレン熱交換器７０が介装されている。
【００４５】
ここで、第１の分岐点ＢＰには三方弁Ｖ１が介装されており、該三方弁Ｖ１は、第１の分岐ラインＬ１−１と第２の分岐ラインＬ１−２の一方を開放し、他方を閉鎖する様に構成されている。なお符号１００は、三方弁Ｖ１の駆動手段を示している。
【００４６】
ラインＬ１−１を流れる稀溶液には、溶液ラインＬ４を流れる吸収溶液（高濃度溶液）が保有するエンタルピーが、低温溶液熱交換器２６を介して投入される。そして、ラインＬ１−２を流れる稀溶液には、冷媒ラインＬ１１の領域Ｌ１１−７０を流れる冷媒（吸収冷温水機の運転条件により、気相、液相、気液２相となる）が保有するエンタルピーが、冷媒ドレン熱交換器７０を介して投入される。
【００４７】
稀溶液ラインＬ１−１は、低温溶液熱交換器２６を経由した後、直ちに合流せずに、排熱焚再生器３０に連通する。その排熱焚再生器３０には、ラインＬ２を流れる排熱流体（例えば温排水）が供給されている。
【００４８】
ラインＬ２を流れる排熱流体は、その保有するエンタルピーを排熱焚再生器３０内の吸収溶液に対して投入し、当該吸収溶液を加熱・一部再生せしめる。そして、再生した冷媒蒸気は蒸気ラインＬ１３を介して凝縮器５０に流入する。
【００４９】
ここで、排熱ラインＬ２は、図示しない排熱源に連通するラインＬ２Ｇから分岐しており、その分岐箇所或いは合流箇所（図示の実施形態では合流箇所）には、排熱投入用三方弁ＶＥが介装されている。
【００５０】
排熱投入用三方弁ＶＥは、ラインＬ２Ｇを流れる排熱流体の温度（図示しない排熱流体温度検出手段により検出される）により、ラインＬ２を開放して排熱流体が排熱ラインＬ２を流過する様にせしめ、或いは、ラインＬ２を閉鎖して排熱流体がラインＬ２をバイパスする様にせしめるべく、開閉制御を行う様に構成されている。そして、排熱投入用三方弁ＶＥが、排熱ラインＬ２側を開放しているか、或いは閉鎖しているかは、開閉センサＳ１により検知される。
【００５１】
排熱ラインＬ２から投入されるエンタルピーにより排熱焚再生器３０内で加熱され、一部再生された後の吸収溶液は、ラインＬ１−１４４を流れ、ポンプ３２によりヘッドを付加される。
【００５２】
ポンプ３２によりヘッドを付加された吸収溶液は、合流点ＧＰで、第２の分岐ラインＬ１−２と合流する。そして、第２の分岐ラインＬ１−２とラインＬ１−１４４は、合流点ＧＰで合流した後、ラインＬ１−４４となり、高温溶液熱交換器４２を経由して高温再生器４４に連通する。
【００５３】
高温再生器４４において、吸収溶液はバーナ機構４５により加熱・濃縮され、冷媒蒸気（水蒸気）が再生される。
【００５４】
高温再生器４４で加熱・凝縮された吸収溶液（中間濃度溶液）は、中間濃度溶液ラインＬ３を流れて低温再生器４８へ流入する。この溶液が保有するエンタルピーは、高温溶液熱交換器４２により、ラインＬ１−４４（第１の合流点ＧＰと高温再生器４４とを連通するライン）を流れる吸収溶液に投入される。
低温再生器４８で加熱・再生された後の吸収溶液（高濃度溶液）は、高濃度溶液ラインＬ４を流れ、低温溶液熱交換器２６を経由して、吸収器２２に戻される。
【００５５】
一方、高温再生器４４で再生した冷媒蒸気（水蒸気：気相冷媒）は蒸気ラインＬ１１を流れ、低温再生器４８において冷媒蒸気が保有するエンタルピーを吸収溶液に供給して、低温再生器４８内の吸収溶液を再生する。
【００５６】
高温再生器４４で再生した冷媒蒸気は、低温再生器４８を出た後に、気相冷媒、液相冷媒、気液２相流のいずれかの形態でライン（或いは領域）Ｌ１１−７０を流過する。
【００５７】
このラインＬ１１−７０は、冷媒ドレン熱交換器７０を介して凝縮器５０に連通している。そして、ラインＬ１１−７０を流れる冷媒が保有するエンタルピーは、冷媒ドレン熱交換器７０を介して、第２の分岐ラインＬ１−２（稀溶液ライン）を流れる稀溶液に供給される。
【００５８】
ここで、ラインＬ１−２を流れる稀溶液に対しては、低温溶液熱交換器２６を介してラインＬ４を流れる高濃度溶液が保有する熱が投入されるのではない。そのため、従来技術においては廃棄されていた領域のエンタルピー、例えばラインＬ１１−７０を流れる冷媒における４０℃−７５℃の領域のエンタルピー（顕熱）が、ラインＬ１−２を流れる稀溶液に対して供給される。すなわち、高温再生器４４のバーナ機構４５により付加されたエンタルピーが、有効利用される。
【００５９】
図１において、ラインＬ５は凝縮器５０で凝縮した液相冷媒を蒸発器５２へ供給するための液相冷媒ラインである。また、ラインＬ１７は、蒸発器５２で冷水ライン（図示しない冷房負荷に連通しているライン：図示せず）を流れる冷水から気化熱を奪って蒸発した冷媒蒸気が流れる冷媒蒸気ラインであり、吸収器２２へ連通している。
【００６０】
ここで、ラインＬ２Ｇを流れる排熱流体温度が低温であり、排熱ラインＬ２及び排熱焚再生器３０をバイパスしている場合には、吸収冷温水機２０の効率化という観点に着目すれば、排熱焚再生器３０に連通する第１分岐ラインＬ１−１に多量の稀溶液を流過させる必要は無い。
一方、ラインＬ２Ｇを流れる排熱流体が高温で、排熱流体が（排熱ラインＬ２を介して）排熱焚再生器３０に対して保有する熱量を投入する場合には、排熱焚再生器３０に連通する第１分岐ラインＬ１−１に多量の稀溶液が流過すれば、吸収冷温水機２０の効率化に大いに寄与することとなる。
【００６１】
そのため、図１の実施形態においては、排熱投入用三方弁ＶＥの開閉状態に基いて、第１の分岐点ＢＰに介装された三方弁Ｖ１の開閉制御を行うべく、制御手段１５０を設けている。
【００６２】
以下、図２を主に参照しつつ、図１で示す実施形態における制御について説明する。
先ず、センサＳ１の検出信号が信号伝達ラインＣＬ−１を介して制御手段１５０に送出される（ステップＳＴ１）。そして、当該信号に基いて、排熱投入用三方弁ＶＥが排熱ラインＬ２側を開放しているのか、或いは閉鎖しているのかが判断される（ステップＳＴ２）。
【００６３】
排熱投入用三方弁ＶＥが排熱ラインＬ２側を開放しているのであれば（ステップＳＴ２がＹＥＳ）、制御手段１５０は、信号伝達ラインＣＬ−Ｖ１を介して三方弁Ｖ１の駆動手段１００に対して制御信号を出力し、排熱焚再生器３０に連通する第１の分岐ラインＬ１−１（ＷＧ側）を流過する稀溶液の流量を、所定量だけ増加する（換言すれば、第１所定値までラインＬ１−１の流量を増加する）（ステップＳＴ３）。
【００６４】
一方、排熱投入用三方弁ＶＥが排熱ラインＬ２側を閉鎖しているのであれば（ステップＳＴ２がＮＯ）、排熱焚再生器３０に連通する第１の分岐ラインＬ１−１（ＷＧ側）を流過する稀溶液の流量を、所定量だけ減少する（換言すれば、第２所定値までラインＬ１−１の流量を減少する）（ステップＳＴ４）。
【００６５】
第１分岐ラインＬ１−１を流れる稀溶液流量を第１所定値或いは第２所定値に増減したならば（ステップＳＴ３、ＳＴ４を完了）、制御を続行するか否かを判断する（ステップＳＴ５）。
制御を続行するのであれば（ステップＳＴ５がＮＯ）、ステップＳＴ１に戻り、ステップＳＴ５がＹＥＳであれば、制御を終了する。
【００６６】
上述した様に、図１、図２の実施形態によれば、排熱焚再生器３０に排熱が投入されているか否かに基いて、排熱焚再生器３０に供給される稀溶液流量を制御しているので、排熱の有効利用、加熱手段４５で付加される熱量の有効利用を通じて、吸収冷温水機２０の効率をさらに向上出来るのである。
【００６７】
図３の実施形態は、溶液循環系、冷媒循環系の構成は図１、図２の実施形態と同一である。しかし、図１、図２の実施形態では、排熱投入用三方弁ＶＥ（図１）の開閉に基いて三方弁Ｖ１の制御を行っているが、図３の実施形態では、排熱ラインＬ２を流れる排熱流体温度に基いて三方弁Ｖ１を制御している。
【００６８】
図３において、排熱焚再生器３０と熱的に連通している排熱ラインＬ２には、温度センサＳ２が設置されている。そして温度センサＳ２の検出信号は、信号伝達ラインＣＬ−２を介して、制御手段１５０に送出される。
そして、制御手段１５０の制御信号は、信号伝達ラインＣＬ−Ｖ１を介して、三方弁Ｖ１の駆動手段１００へ出力される。
【００６９】
図３の実施形態における制御を、図４をも参照して説明する。
排熱ラインＬ２を流れる排熱流体の温度Ｔｗを温度センサＳ２で検出したならば（ステップＳＴ１１）、排熱流体温度が上昇したか否かを判断する（ステップＳＴ１２）。
【００７０】
排熱流体温度Ｔｗが上昇しているのであれば（ステップＳＴ１２がＹＥＳ）、制御手段１５０は、信号伝達ラインＣＬ−Ｖ１を介して三方弁Ｖ１の駆動手段１００に制御信号を出力して、排熱焚再生器３０に連通する第１分岐ラインＬ１−１（ＷＧ側）の稀溶液流量を増加せしめる（ステップＳＴ１３）。
排熱流体温度Ｔｗが上昇し、排熱焚再生器３０に投入される熱量が増大するので、ラインＬ１−１の流量を増加すれば、排熱が有効利用されて、効率が向上するからである。
【００７１】
一方、排熱流体温度Ｔｗが下降している場合には（ステップＳＴ１２がＮＯ）、排熱焚再生器３０に連通する第１分岐ラインＬ１−１（ＷＧ側）の稀溶液流量を減少せしめる（ステップＳ１４）。排熱流体温度Ｔｗが下降すれば排熱焚再生器３０に投入される熱量も減少し、ラインＬ１−１を流れる稀溶液の再生量も減少してしまうことによる。
【００７２】
第１分岐ラインＬ１−１の流量を増減したならば（ステップＳＴ１３、ＳＴ１４の完了）、制御を終了するか否かを判断して（ステップＳＴ１５）、ステップＳＴ１５がＮＯであればステップＳＴ１１に戻る。
【００７３】
図５で示す実施形態は、溶液循環系、冷媒循環系については図１−図４の実施形態と同一であるが、温度センサの設置位置が異なっている。
図５において、稀溶液ラインＬ１の、吸収器２２とポンプ２４との間の領域に温度センサＳ３が介装されており、溶液の吸収器出口温度Ｔａを検出している。そして検出された溶液の吸収器出口温度Ｔａは、信号伝達ラインＣＬ−３を介して制御手段１５０に送られる。
【００７４】
制御手段１５０からの制御信号は、信号伝達ラインＣＬ−Ｖ１を介して、第１分岐点ＢＰの三方弁Ｖ１（の駆動手段１００）に対して出力されるのである。
その他の構成は、図１−図４と同様である。
【００７５】
次に、図６をも参照して、図５の実施形態の制御について説明する。
吸収溶液の吸収器出口温度Ｔａを温度センサＳ２で検出したならば（ステップＳＴ２１）、当該吸収器出口温度Ｔａが上昇したか否かを判断する（ステップＳＴ２２）。
【００７６】
吸収器出口温度Ｔａが上昇（ステップＳＴ２２がＹＥＳ）するということは、稀溶液濃度が濃くなったことを意味している。そして稀溶液濃度が濃くなれば、飽和温度が上昇する。従って、同一熱量の排熱が投入されても、再生蒸気量は減少してしまう。そのため、同一流量の稀溶液が排熱焚再生器３０に供給されても、再生量は減少する。従って、ステップＳＴ２２がＹＥＳの場合、制御手段１５０は、信号伝達ラインＣＬ−Ｖ１を介して三方弁Ｖ１の駆動手段１００に制御信号を出力して、排熱焚再生器３０に連通する第１分岐ラインＬ１−１（ＷＧ側）の稀溶液流量を減少せしめる（ステップＳ２３）。
【００７７】
一方、吸収器出口温度Ｔａが下降している場合には（ステップＳＴ２２がＮＯ）、稀溶液濃度が薄くなっており、飽和温度が下降する。そのため、同一熱量の排熱が投入された際に排熱焚再生器３０における再生量は増加する（再生し易い状態となる）。従って、ステップＳＴ２２がＮＯの場合は、排熱焚再生器３０に連通する第１分岐ラインＬ１−１（ＷＧ側）の稀溶液流量を増加せしめ（ステップＳ２４）、排熱焚再生器３０の再生量を増加して、高温再生器４４における高質燃料消費量を抑制して、吸収冷温水機の効率を向上するのである。
【００７８】
第１分岐ラインＬ１−１の流量を減増したならば（ステップＳＴ２３、ＳＴ２４の完了）、制御を終了するか否かを判断して（ステップＳＴ２５）、ステップＳＴ２５がＮＯであればステップＳＴ２１に戻る。
【００７９】
図１、図２の実施形態、図３、図４の実施形態、図５、図６の実施形態は、それぞれ単一のセンサＳ１、Ｓ２、Ｓ３により、単一のパラメータ（排熱ラインＬ２に排熱流体が流過しているか否か、排熱流体温度Ｔｗの昇降、吸収器２２の出口における吸収溶液の液温Ｔａの昇降）に基いて、三方弁Ｖ１の開閉制御が行われている。
しかし、複数のセンサ及び複数のパラメータを組み合わせて制御することも可能である。
【００８０】
図７、図８の実施形態では、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出される各パラメータを全て参照して、制御が為されている。
その他の構成については、図７、図８の実施形態は、図１−図６の実施形態と同様である。
【００８１】
次に、図８を主として参照しつつ、図７の実施形態の制御について説明する。先ず、センサＳ１により排熱ラインＬ２に排熱流体が流過しているか否かを検出し、センサＳ２により排熱流体温度Ｔｗを検出し、センサＳ３により吸収器２２の出口温度Ｔａを検出する（ステップＳＴ３１）。
【００８２】
排熱ラインＬ２に排熱流体が流過しているか否か、排熱流体温度Ｔｗ、吸収器２２の出口における吸収溶液の液温Ｔａを検出したならば（ステップＳＴ３１の完了）、ステップＳ１−Ｓ３で検出された各パラメータに基いて、各種数式、特性曲線、マップ、その他に基いて、その時点における排熱焚再生器３０への最適な稀溶液流量、換言すれば、第１分岐ラインＬ１−１における最適流量を決定する（ステップＳＴ３２）。
【００８３】
次に、ステップＳＴ３２で決定された最適流量Ｑｃと、その時点における第１分岐ラインＬ１−１における稀溶液流量Ｑｐとを比較する（ステップＳＴ３３）。
【００８４】
ステップＳＴ３２で決定された最適流量Ｑｃが、その時点における第１分岐ラインＬ１−１における稀溶液流量Ｑｐよりも少量である場合には（ステップＳＴ３３が「Ｑｃ＜Ｑｐ」）、制御手段１５０は、信号伝達ラインＣＬ−Ｖ１を介して三方弁Ｖ１の駆動手段１００に制御信号を出力して、排熱焚再生器３０に連通する第１分岐ラインＬ１−１（ＷＧ側）の稀溶液流量を減少せしめる（ステップＳ３４）。
【００８５】
ステップＳＴ３２で決定された最適流量Ｑｃが、その時点における第１分岐ラインＬ１−１における稀溶液流量Ｑｐと等しい場合には（ステップＳＴ３３が「Ｑｃ＝Ｑｐ」）、三方弁Ｖ１の開度を変化せずに、排熱焚再生器３０に連通する第１分岐ラインＬ１−１（ＷＧ側）の稀溶液流量を維持する（ステップＳ３５）。
【００８６】
ステップＳＴ３２で決定された最適流量Ｑｃが、その時点における第１分岐ラインＬ１−１における稀溶液流量Ｑｐよりも多量である場合には（ステップＳＴ３３が「Ｑｃ＞Ｑｐ」）、制御手段１５０は、信号伝達ラインＣＬ−Ｖ１を介して三方弁Ｖ１の駆動手段１００に制御信号を出力して、排熱焚再生器３０に連通する第１分岐ラインＬ１−１（ＷＧ側）の稀溶液流量を増加する（ステップＳ３６）。
【００８７】
第１分岐ラインＬ１−１の流量制御を完了（ステップＳＴ３４、ＳＴ３５、ＳＴ３６の完了）、制御を終了するか否かを判断する（ステップＳＴ３７）。ステップＳＴ３７がＮＯであればステップＳＴ３１に戻る。
【００８８】
図９の実施形態も、図１−図８の実施形態と同様に、所謂「シリーズフロータイプ」の吸収冷温水機にかかるものである。
【００８９】
この実施形態においても、分岐点ＢＰで分岐した稀溶液ラインＬ１−１は、低温溶液熱交換器２６を経由した後に直ちに合流せず、排熱焚再生器３０に連通する。しかし図９の実施形態は、図１−図８の実施形態と比較して、第１の分岐ラインＬ１−１と第２の分岐ラインＬ１−２との合流点（第１合流点ＧＰ）の位置が異なっている。
【００９０】
図９において、稀溶液ラインＬ１−１を介して排熱焚再生器３０に供給された稀溶液は、排熱ラインＬ２から投入されるエンタルピーにより加熱され、一部再生された後、ラインＬ１−１４４を流れ、ポンプ３２によりヘッドを負荷され、高温溶液熱交換器４２を経由する。
それから、高温溶液熱交換器４２と高温再生器４４との間の領域における第１合流点ＧＰにおいて、第１分岐ラインＬ１−２と第２分岐ラインＬ１−２とは合流し、ラインＬ１−４４となり、高温再生器４４に連通する。
【００９１】
図９の実施形態におけるその他の構成及び作用効果は、図１−図８の実施形態と同様である。そして、図９の実施形態の第１分岐点ＢＰにおける三方弁Ｖ１の開閉制御についても、図１−図８の実施形態と同様である。
【００９２】
図９においては、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号は信号伝達ラインＣＬ−Ｖ１を介して三方弁Ｖ１の駆動手段１００に送られている。
【００９３】
しかし、図９の実施形態においても、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１つのみに基いて、三方弁Ｖ１の開閉制御を行うことも出来る。同様に、何れか２つのセンサを設け、上記した３種類の制御パラメータから２種類を選択して制御することも出来る。
【００９４】
図１−図９は、所謂「シリーズフロー」タイプの吸収冷温水機について本発明を適用した実施形態である。これに対して、図１０の実施形態は、所謂「パラレルフロー」タイプの吸収冷温水機について本発明を適用したものである。
【００９５】
図１０において、吸収器２２から出た稀溶液は、ポンプ２４によりヘッドを付加されて稀溶液ラインＬ１を流れ、第１の分岐点ＢＰにおいて、ラインＬ１−１とラインＬ１−２に分岐する。ここで、ラインＬ１−１には低温溶液熱交換器２６が介装されており、ラインＬ１−２には冷媒ドレン熱交換器７０が介装されている。
【００９６】
ラインＬ１−１とラインＬ１−２とは、低温溶液熱交換器２６或いは冷媒ドレン熱交換器７０を経由してから、その近傍に設けられた第１の合流点ＧＰで合流してラインＬ１−Ｐ１となる。このラインＬ１−Ｐ１は、第２の分岐点Ｐ１において、高温再生器４４に連通するラインＬ１−３と、排熱焚再生器３０に連通するラインＬ１−４とに分岐する。
【００９７】
そして図１０の実施形態においては、この第２分岐点Ｐ１において三方弁Ｖ２が介装されており、三方弁Ｖ２の駆動手段１２０に対しては、信号伝達ラインＣＬ−Ｖ２を介して、制御手段１５０から制御信号が送られる様に構成されている。
なお、センサＳ１、Ｓ２、Ｓ３の設置位置については、図１−図９の実施形態と同様である。
【００９８】
ラインＬ１−３を流れる稀溶液は、高温溶液熱交換器４２を介して高温再生器４４へ流入し、バーナ機構４５により加熱・濃縮された後、溶液ラインＬ３を流れる。
高温再生器４４で再生した冷媒蒸気は、低温再生器４８に連通するラインＬ１１を流れ、低温再生器４８内の吸収溶液に保有するエンタルピーを供給して冷媒を再生した後、ラインＬ１１−７０を流れ、冷媒ドレン熱交換器７０を介してラインＬ１−２内の稀溶液にエンタルピーを供給し、凝縮器５０へ送られる。
【００９９】
ラインＬ１−４を流れる稀溶液は、排熱焚再生器３０において、排熱ラインＬ２を流れる排熱流体が保有するエンタルピーが投入され、加熱・再生・濃縮される。そして、排熱焚再生器３０で再生された冷媒蒸気は、ラインＬ１３を介して凝縮器５０に供給され、再生・濃縮後の吸収溶液は、溶液ラインＬ１−４１を流れて、低温再生器４８に流入する。
【０１００】
低温再生器４８で加熱・再生・濃縮された吸収溶液は溶液ラインＬ１−４２を流れ、溶液ラインＬ１−４２は、第２の合流点Ｐ２において、高温再生器４４からの溶液ラインＬ３と合流して溶液ラインＬ４となり、吸収器２２へ戻る。
【０１０１】
この実施形態においても、図１の実施形態で説明したのと同様に、ラインＬ１１−７０を流れる冷媒が保有するエンタルピーが、広い温度範囲に亘って、冷媒ドレン熱交換器７０を介して、稀溶液ラインＬ１−２内を流れる稀溶液に供給され、高温再生器４４（のバーナ機構４５）において付与されたエンタルピーが、冷媒蒸気発生のために有効に利用される。
また、排熱流体が保有するエンタルピーが、排熱焚再生器３０における再生で利用されるので、排熱流体の保有するエンタルピーの利用効率も向上する。
その結果、吸収冷温水機全体の効率が上昇する。
【０１０２】
図１０の実施形態におけるその他の構成及び作用効果は、図１−図９の実施形態と同様である。そして、図１０の実施形態の第２分岐点Ｐ１における三方弁Ｖ２の開閉制御は、図１−図９の実施形態の、第１分岐点ＢＰにおける三方弁Ｖ１の開閉制御と同様である。
【０１０３】
従って、排熱流体温度と吸収溶液との相対関係に基いて、三方弁Ｖ１を開閉制御することにより、排熱焚再生器３０に流入する吸収溶液の流量を制御し、以って、吸収冷温水機の効率を向上せしめることが出来る。
【０１０４】
図１０においては、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１０５】
しかし、図１０の実施形態においても、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１つのみに基いて、三方弁Ｖ１の開閉制御を行うことも出来る。同様に、何れか２つのセンサを設け、上記した３種類の制御パラメータから２種類を選択して制御することも出来る。
【０１０６】
図１１の実施形態も、「パラレルフロータイプ」の吸収冷温水機に係る実施形態である。
図１０で示す実施形態では、第１の分岐点ＢＰで分岐した２本のラインＬ１−１とＬ１−２は、低温溶液熱交換器２６或いは冷媒ドレン熱交換器７０を経由してから直ちに、その近傍に設けられた第１の合流点ＧＰで合流している。
【０１０７】
これに対して、図１１の実施形態では、第１の分岐点ＢＰで分岐した稀溶液ラインＬ１−１は、低温溶液熱交換器２６を経由した後、直ちに合流すること無く、第２の分岐点Ｐ１で、高温再生器４４に連通するラインＬ１−３と、ラインＬ１−４とに分岐する。そしてラインＬ１−４において、第１の合流点ＧＰで他方の分岐ラインＬ１−２と合流して、排熱焚再生器３０に連通するのである。
【０１０８】
換言すれば、図１１の実施形態では、第１の合流点ＧＰは、第２の分岐点Ｐ１と排熱焚再生器３０との間の領域に設けられている。
【０１０９】
図１１の実施形態におけるその他の構成は図１０で示す実施形態と同様である。そして、図１１の実施形態の第２分岐点Ｐ１における三方弁Ｖ２の開閉制御は（図１０の実施形態の第２分岐点Ｐ１における三方弁Ｖ２の開閉制御と略々等しく）、図１−図９の実施形態の、第１分岐点ＢＰにおける三方弁Ｖ１の開閉制御と同様である。
【０１１０】
図１１においても、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１１１】
しかし、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１つのみに基いて、三方弁Ｖ１の開閉制御を行うことも出来る。同様に、何れか２つのセンサを設け、上記した３種類の制御パラメータから２種類を選択して制御することも出来る。
【０１１２】
図１２で示す実施形態は、図１１で示す実施形態と、溶液循環系、冷媒循環系、その他の構成が殆ど同一である。
しかし、図１１で示す実施形態では、第２の分岐点Ｐ１に三方弁Ｖ２を設け、当該三方弁Ｖ２の開閉制御をしているのに対して、図１２で示す実施形態では、第１の分岐点ＢＰに三方弁Ｖ１を設け、当該三方弁Ｖ１に対して開閉制御を行っている。
【０１１３】
図１２の実施形態におけるその他の構成、作用効果は図１１の実施形態と同様であり、分岐点に設けた三方弁の開閉制御の態様も同様である。
【０１１４】
ここで、図１２においても、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１１５】
しかし、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１種類のみに基いて、三方弁Ｖ１の開閉制御を行うことも出来る。同様に、何れか２つのセンサを設け、上記した３種類の制御パラメータから２種類を選択して制御することも出来る。
【０１１６】
図１３で示す実施形態も、図１１或いは図１２で示す実施形態と、溶液循環系、冷媒循環系、その他の構成が殆ど同一である。
図１１で示す実施形態では、第２の分岐点Ｐ１に三方弁Ｖ２を設け、当該三方弁Ｖ２の開閉制御をしており、図１２で示す実施形態では、第１の分岐点ＢＰに三方弁Ｖ１を設け、当該三方弁Ｖ１に対して開閉制御を行っている。
【０１１７】
これに対して、図１３で示す実施形態では、第１の分岐点ＢＰに三方弁Ｖ１を設けると共に、第２の分岐点Ｐ１にも三方弁Ｖ２を設け、制御手段１５０から、信号伝達ラインＣＬ−Ｖ１を介して三方弁Ｖ１の駆動手段１００へ制御信号を出力し、且つ、伝達ラインＣＬ−Ｖ２を介して三方弁Ｖ２の駆動手段１２０へ制御信号を出力することにより、三方弁Ｖ１及びＶ２の双方を開閉制御している。
【０１１８】
図１３の実施形態におけるその他の構成、作用効果は図１１、図１２の実施形態と同様であり、第１分岐点ＢＰに設けた三方弁Ｖ１と、第２分岐点Ｐ１に設けた三方弁Ｖ２の開閉制御の態様も、図１−図１２の実施形態と同様である。
【０１１９】
ここで、図１３においても、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１２０】
しかし、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１種類のみに基いて、三方弁Ｖ１の開閉制御を行うことも出来る。同様に、何れか２つのセンサを設け、上記した３種類の制御パラメータから２種類を選択して制御することも出来る。
【０１２１】
図１４で示す実施形態も「パラレルフロータイプ」の吸収冷温水機にかかるものである。
図１４において、分岐ラインＬ１−１は低温溶液熱交換器２６を経由した後に、他方の分岐ラインＬ１−２と直ちに合流せず、第２の分岐点Ｐ１で、高温再生器４４側に向かうラインＬ１−１１と、排熱焚再生器３０に連通するラインＬ１−１２とに分岐する。
【０１２２】
ここで、第２分岐点Ｐ１には三方弁Ｖ２が設けられており、三方弁Ｖ２の駆動手段１２０に対しては、信号伝達ラインＣＬ−Ｖ２を介して、制御手段１５０から制御信号が出力され、開閉制御が行われる。
【０１２３】
高温再生器４４側に向かうラインＬ１−１１は、第２分岐点Ｐ１と高温溶液熱交換器４２との間の領域における第１の合流点ＧＰで分岐ラインＬ１−２と合流してラインＬ１−４４となり、高温再生器４４へ連通する。
【０１２４】
一方、ラインＬ１−１２は排熱焚再生器３０に連通し、排熱焚再生器３０で加熱・一部再生された吸収溶液はラインＬ１−１２１を介して低温再生器４８に供給される。そして、低温再生器４８で加熱・一部再生された吸収溶液はラインＬ１−１２２を流れ、該ラインＬ１−１２２は第２の合流点ＰでラインＬ３と合流してラインＬ４となり、吸収器２２に戻る。
【０１２５】
図１４の実施形態におけるその他の構成は図１１−図１３で示す実施形態と同様である。また、作用効果については、図１−図１３で示す実施形態と同様である。
第２分岐点Ｐ１に設けた三方弁Ｖ２の開閉制御の態様も同様である。
【０１２６】
ここで、図１４においても、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１２７】
しかし、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１種類のみに基いて、三方弁Ｖ１の開閉制御を行うことも出来る。同様に、何れか２つのセンサを設け、上記した３種類の制御パラメータから２種類を選択して制御することも出来る。
【０１２８】
図１５で示す実施形態は、図１４で示す実施形態と、溶液循環系、冷媒循環系、その他の構成が殆ど同一である。
しかし、図１４で示す実施形態では、第２の分岐点Ｐ１に三方弁Ｖ２を設け、当該三方弁Ｖ２の開閉制御をしているのに対して、図１５で示す実施形態では、第１の分岐点ＢＰに三方弁Ｖ１を設け、当該三方弁Ｖ１に対して開閉制御を行っている。
【０１２９】
図１５の実施形態におけるその他の構成、作用効果は図１４の実施形態と同様であり、第１分岐点ＢＰに設けた三方弁Ｖ１の開閉制御の態様も同様である。
【０１３０】
ここで、図１５においても、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１３１】
しかし、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１種類のみに基いて、三方弁Ｖ１の開閉制御を行うことも出来る。同様に、何れか２つのセンサを設け、上記した３種類の制御パラメータから２種類を選択して制御することも出来る。
【０１３２】
図１６で示す実施形態も、図１４或いは図１５で示す実施形態と、溶液循環系、冷媒循環系、その他の構成が殆ど同一である。
図１４で示す実施形態では、第２の分岐点Ｐ１に三方弁Ｖ２を設け、当該三方弁Ｖ２の開閉制御をしており、図１５で示す実施形態では、第１の分岐点ＢＰに三方弁Ｖ１を設け、当該三方弁Ｖ１に対して開閉制御を行っている。
【０１３３】
これに対して、図１６で示す実施形態では、第１の分岐点ＢＰに三方弁Ｖ１を設けると共に、第２の分岐点Ｐ１にも三方弁Ｖ２を設け、制御手段１５０から、信号伝達ラインＣＬ−Ｖ１を介して三方弁Ｖ１の駆動手段１００へ制御信号を出力し、且つ、伝達ラインＣＬ−Ｖ２を介して三方弁Ｖ２の駆動手段１２０へ制御信号を出力することにより、三方弁Ｖ１及びＶ２の双方を開閉制御している。
【０１３４】
図１６の実施形態におけるその他の構成、作用効果は図１４、図１５の実施形態と同様であり、第１分岐点ＢＰに設けた三方弁Ｖ１と、第２分岐点Ｐ１に設けた三方弁Ｖ２の開閉制御の態様も、図１−図１５の実施形態と同様である。
【０１３５】
ここで、図１６においても、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１３６】
しかし、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１種類のみに基いて、三方弁Ｖ１の開閉制御を行うことも出来る。同様に、何れか２つのセンサを設け、上記した３種類の制御パラメータから２種類を選択して制御することも出来る。
【０１３７】
図１７の実施形態も、「パラレルフロータイプ」の吸収冷温水機に係るものを示している。
図１７において、分岐ラインＬ１−１は低温溶液熱交換器２６を経由した後に、第２の分岐点Ｐ１で、高温再生器４４側に向かうラインＬ１−１１と、排熱焚再生器３０に連通するラインＬ１−１２とに分岐する。
【０１３８】
ここで、第２分岐点Ｐ１には三方弁Ｖ２が設けられており、三方弁Ｖ２の駆動手段１２０に対しては、信号伝達ラインＣＬ−Ｖ２を介して、制御手段１５０から制御信号が出力され、開閉制御が行われる。
【０１３９】
そしてラインＬ１−１１は高温溶液熱交換器４２を経由し、高温溶液熱交換器４２と高温再生器４４との間の領域における第１の合流点ＧＰで、分岐ラインＬ１−２と合流してラインＬ１−４４となり、高温再生器４４へ連通する。
【０１４０】
図１７の実施形態におけるその他の構成は図１０−図１６で示す実施形態と同様である。また、図１７の実施形態の作用効果については、図１−図１６で示す実施形態と同様である。また、第２分岐点Ｐ１における三方弁Ｖ２の開閉制御についても、図１−図１６の実施形態と同様である。
【０１４１】
図１８で示す実施形態は、図１７で示す実施形態と、溶液循環系、冷媒循環系、その他の構成が殆ど同一である。
しかし、図１７で示す実施形態では、第２の分岐点Ｐ１に三方弁Ｖ２を設け、当該三方弁Ｖ２の開閉制御をしているのに対して、図１８で示す実施形態では、第１の分岐点ＢＰに三方弁Ｖ１を設け、当該三方弁Ｖ１に対して開閉制御を行っている。
【０１４２】
図１８の実施形態におけるその他の構成、作用効果は図１７の実施形態と同様であり、第１分岐点ＢＰに設けた三方弁Ｖ１の開閉制御の態様も同様である。
【０１４３】
ここで、図１８においても、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１４４】
しかし、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１種類のみに基いて、三方弁Ｖ１の開閉制御を行うことも出来る。同様に、何れか２つのセンサを設け、上記した３種類の制御パラメータから２種類を選択して制御することも出来る。
【０１４５】
図１９で示す実施形態も、図１７或いは図１８で示す実施形態と、溶液循環系、冷媒循環系、その他の構成が殆ど同一である。
図１７で示す実施形態では、第２の分岐点Ｐ１に三方弁Ｖ２を設け、当該三方弁Ｖ２の開閉制御をしており、図１８で示す実施形態では、第１の分岐点ＢＰに三方弁Ｖ１を設け、当該三方弁Ｖ１に対して開閉制御を行っている。
【０１４６】
これに対して、図１９で示す実施形態では、第１の分岐点ＢＰに三方弁Ｖ１を設けると共に、第２の分岐点Ｐ１にも三方弁Ｖ２を設け、制御手段１５０から、信号伝達ラインＣＬ−Ｖ１を介して三方弁Ｖ１の駆動手段１００へ制御信号を出力し、且つ、伝達ラインＣＬ−Ｖ２を介して三方弁Ｖ２の駆動手段１２０へ制御信号を出力することにより、三方弁Ｖ１及びＶ２の双方を開閉制御している。
【０１４７】
図１９の実施形態におけるその他の構成、作用効果は図１７、図１８の実施形態と同様であり、第１分岐点ＢＰに設けた三方弁Ｖ１と、第２分岐点Ｐ１に設けた三方弁Ｖ２の開閉制御の態様も、図１−図１８の実施形態と同様である。
【０１４８】
ここで、図１９においても、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１４９】
しかし、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１種類のみに基いて、三方弁Ｖ１の開閉制御を行うことも出来る。同様に、何れか２つのセンサを設け、上記した３種類の制御パラメータから２種類を選択して制御することも出来る。
【０１５０】
図２０の実施形態もパラレルフロータイプの吸収冷温水機に係るものを示している。
図２０において、稀溶液ラインＬ１は第１の分岐点ＢＰで第１分岐ラインＬ１−１と、第２分岐ラインＬ１−２とに分岐する。第１分岐ラインＬ１−１には低温溶液熱交換器２６が介装されており、第２分岐ラインＬ１−２は冷媒ドレン熱交換器７０を介装している。
【０１５１】
ここで、第１分岐点ＢＰには三方弁Ｖ１が介装されており、三方弁Ｖ１の駆動手段１００に対しては、信号伝達ラインＣＬ−Ｖ１を介して、制御手段１５０から制御信号が出力され、以って、三方弁Ｖ１の開閉制御が行われる。
【０１５２】
第１分岐ラインＬ１−１は低温溶液熱交換器２６を経由した後に、排熱焚再生器３０に連通する。そして、排熱焚再生器３０で加熱・一部再生された吸収溶液はラインＬ１−３１を流れ、該ラインＬ１−３１は、第２の分岐点Ｐ１で、高温再生器４４側に向かうラインＬ１−４４と、低温再生器４８側へ向かうラインＬ１−４８とに分岐する。
【０１５３】
ここでラインＬ１−４８は、第１の合流点ＧＰで分岐ラインＬ１−２と合流してラインＬ１−４９となり、低温再生器４８へ連通する。
低温再生器４８で加熱・一部再生された吸収溶液はラインＬ１−５１を流れ、該ラインＬ１−５１は第２の合流点Ｐ１でラインＬ３と合流して、ラインＬ４となる。
【０１５４】
図２０の実施形態におけるその他の構成は図１０−図１９で示す実施形態と同様である。また、図２０の実施形態の作用効果については、図１−図１９で示す実施形態と同様である。
さらに、図２０の実施形態における第１分岐点ＢＰに設置された三方弁Ｖ１の開閉制御の態様についても、図１−図１９の実施形態と同様である。
【０１５５】
図２０においても、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１５６】
但し、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１種類のみに基いて、三方弁Ｖ１の開閉制御を行うことも出来る。同様に、何れか２つのセンサを設け、上記した３種類の制御パラメータから２種類を選択して制御することも出来る。
【０１５７】
図２１の実施形態も、パラレルフロータイプの吸収冷温水機に係る。
図２１において、第１分岐点ＢＰで分岐した２本の分岐ラインＬ１−１、Ｌ１−２の内、低温溶液熱交換器２６を介装している分岐ラインＬ１−１は、排熱焚再生器３０に連通し、排熱焚再生器３０で加熱・一部再生された吸収溶液はラインＬ１−３１を流れ、該ラインＬ１−３１は、第２の分岐点Ｐ１で、高温再生器４４側に向かうラインＬ１−４４と、低温再生器４８側へ向かうラインＬ１−４８とに分岐する。
【０１５８】
第１分岐点ＢＰには三方弁Ｖ１が設けられ、三方弁Ｖ１の駆動手段１００に対しては、信号伝達ラインＣＬ−Ｖ１を介して、制御手段１５０から制御信号が出力され、以って、三方弁Ｖ１の開閉制御を行っている。
【０１５９】
図２１の実施形態では、高温再生器４４側に向かうラインＬ１−４４が、第２分岐点Ｐ１と高温溶液熱交換器４２との間の領域における第１の合流点ＧＰで、分岐ラインＬ１−２と合流してラインＬ１−４６となり、該ラインＬ１−４６は高温溶液熱交換器４２を経由して高温再生器４４へ連通する。
【０１６０】
一方、ラインＬ１−４８を介して低温再生器４８に供給され、加熱・一部再生された吸収溶液はラインＬ１−４９を流れ、第２の合流点Ｐ１でラインＬ３と合流して、ラインＬ４となる。
【０１６１】
図２１の実施形態におけるその他の構成は図２０で示す実施形態と同様である。また、図２１の実施形態の作用効果については、図１−図２０で示す実施形態と同様である。
そして、第１分岐点ＢＰに設けた三方弁Ｖ１の開閉制御の態様も、図１−図２０の実施形態と同様である。
【０１６２】
図２１においても、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１６３】
但し、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１種類のみに基いて、三方弁Ｖ１の開閉制御を行うことも出来る。同様に、何れか２つのセンサを設け、上記した３種類の制御パラメータから２種類を選択して制御することも出来る。
【０１６４】
図２２も、パラレルフロータイプの吸収冷温水機にかかる実施形態を示している。
図２２においても、稀溶液ラインＬ１は第１の分岐点ＢＰで、低温溶液熱交換器２６を介装した第１の分岐ラインＬ１−１と、冷媒ドレン熱交換器７０を介装した第２の分岐ラインＬ１−２とに分岐している。
【０１６５】
第１の分岐点ＢＰには三方弁Ｖ１が設けられ、三方弁Ｖ１の駆動手段１００に対しては、信号伝達ラインＣＬ−Ｖ１を介して、制御手段１５０から制御信号が出力される。これにより、三方弁Ｖ１の開閉制御が行われる。
【０１６６】
第１の分岐ラインＬ１−１を流れる吸収溶液は、低温溶液熱交換器２６、排熱焚再生器３０、ラインＬ１−３１、第２の分岐点Ｐ１を介して高温再生器４４側に向かうラインＬ１−４４を流れる。そしてラインＬ１−４４は、高温溶液熱交換器４２と高温再生器４４との間の領域における第１の合流点ＧＰで、分岐ラインＬ１−２と合流してラインＬ１−４６となり、高温再生器４４へ連通している。
【０１６７】
図２２の実施形態におけるその他の構成は図２１で示す実施形態と同様である。また、図２２の実施形態の作用効果については、図１−図２１で示す実施形態と同様である。
さらに、第１分岐点ＢＰに設けられた三方弁Ｖ１の開閉制御の態様についても、図１−図２１と同様である。
【０１６８】
図２２においても、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１６９】
但し、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１種類のみに基いて、三方弁Ｖ１の開閉制御を行うことも出来る。同様に、何れか２つのセンサを設け、上記した３種類の制御パラメータから２種類を選択して制御することも出来る。
【０１７０】
図２３−図２５は、本発明を所謂「リバースフロー」タイプの吸収冷温水機に適用した実施形態を示している。
【０１７１】
図２３で示す実施形態にかかる吸収冷温水機において、吸収器２２を出てポンプ２４でヘッドを付加された稀溶液は、稀溶液ラインＬ１を流れ、稀溶液ラインＬ１は、第１の分岐点ＢＰにおいて、低温溶液熱交換器２６が介装された第１の分岐ラインＬ１−１と、冷媒ドレン熱交換器７０が介装されている第２の分岐ラインＬ１−２とに分岐している。
【０１７２】
第１分岐点ＢＰには三方弁Ｖ１が設けられ、三方弁Ｖ１の駆動手段１００に対しては、信号伝達ラインＣＬ−Ｖ１を介して、制御手段１５０から制御信号が出力されており、以って、三方弁Ｖ１の開閉制御を行っている。
【０１７３】
第１の分岐点ＢＰで分岐した稀溶液ラインＬ１−１は、低温溶液熱交換器２６を経由した後、排熱焚再生器３０に連通し、その内部を流れる吸収溶液を排熱焚再生器３０へ供給する。
【０１７４】
排熱焚再生器３０で加熱・一部再生された吸収溶液は、ラインＬ１−１３０を流れて低温再生器４８に供給される。そして、低温再生器４８で加熱・一部再生された吸収溶液は、ラインＬ６を流れ、ポンプ６２でヘッドが負荷される。そして、ラインＬ６は、低温再生器４８と高温溶液熱交換器４２との間の領域における第１の合流点ＧＰで、第２の分岐ラインＬ１−２と合流してラインＬ６−４４となる。
【０１７５】
ラインＬ６−４４は高温溶液熱交換器４２を経由して、高温再生器４４に連通する。
高温再生器４４のバーナ機構４５で加熱・濃縮された吸収溶液は、溶液ラインＬ３を流れて吸収器２２へ戻される。
【０１７６】
高温再生器４４で再生した冷媒蒸気は、低温再生器４８に連通するラインＬ１１を流れ、低温再生器４８内の吸収溶液に保有するエンタルピーを供給して冷媒を再生した後、ラインＬ１１−７０を流れ、冷媒ドレン熱交換器７０を介してラインＬ１−２内の稀溶液にエンタルピーを供給し、凝縮器５０へ送られる。
【０１７７】
図２３の実施形態においても、図１−図２２の実施形態で説明したのと同様に、ラインＬ１１−７０を流れる冷媒が保有するエンタルピーが、広い温度範囲に亘って、冷媒ドレン熱交換器７０を介して、稀溶液ラインＬ１−２内を流れる稀溶液に供給され、高温再生器４４（のバーナ機構４５）において付与されたエンタルピーが、冷媒蒸気発生のために有効に利用される。
【０１７８】
また、排熱流体温度と吸収溶液との相対関係に基いて、三方弁Ｖ１を開閉制御することにより、排熱焚再生器３０に流入する吸収溶液の流量を制御し、以って、吸収冷温水機の効率を向上せしめることが出来る。
【０１７９】
図２３の実施形態における他の構成は、図１−図２２の実施形態と同様である。また図２３の実施形態におけるその他の作用効果については、図１−図２２の実施形態と同様である。
そして、第１分岐点ＢＰにおける三方弁Ｖ１の開閉制御の態様も、図１−図２２の実施形態と同様である。
【０１８０】
図２３においても、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１８１】
但し、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１種類のみに基いて、三方弁Ｖ１の開閉制御を行うことも出来る。同様に、何れか２つのセンサを設け、上記した３種類の制御パラメータから２種類を選択して制御することも出来る。
【０１８２】
図２３で示す実施形態では、ラインＬ１−２とラインＬ６とが合流する第１の合流点ＧＰは、低温再生器４８と高温溶液熱交換器４２との間の領域に設けられている。
これに対して、図２４の実施形態では、ラインＬ６とラインＬ１−２とが合流する第１の合流点ＧＰは、高温溶液熱交換器４２と高温再生器４４の間の領域に設けられている。
【０１８３】
換言すれば、低温再生器４８で加熱・濃縮され、ポンプ６２でヘッドが負荷された吸収溶液は、ラインＬ６を流れ、高温溶液熱交換器４２とを経由した後に、高温溶液熱交換器４２と高温再生器４４の間の領域における第１の合流点ＧＰで、第２分岐ラインＬ１−２と合流して、ラインＬ６−４４となる。そしてラインＬ６−４４は、高温再生器４４に連通する。
【０１８４】
図２４の実施形態におけるその他の構成は図２３で示す実施形態と同様である。また、図２４の実施形態の作用効果については、図１−図２３で示す実施形態と同様である。
そして、図２４の分岐点ＢＰにおける三方弁Ｖ１の開閉制御についても、図１−図２３で示す実施形態と同様である。
【０１８５】
図２４においても、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１８６】
但し、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１種類のみに基いて、三方弁Ｖ１の開閉制御を行うことも出来る。同様に、何れか２つのセンサを設け、上記した３種類の制御パラメータから２種類を選択して制御することも出来る。
【０１８７】
図２５で示す実施形態においても、第１の分岐点ＢＰで分岐した稀溶液ラインＬ１−１は、低温溶液熱交換器２６を経由した後、直ちに合流すること無く、排熱焚再生器３０に連通する。そして、ラインＬ１−１の内部を流れる吸収溶液は、排熱焚再生器３０へ供給される。
【０１８８】
排熱焚再生器３０で加熱・一部再生された吸収溶液は、低温再生器４８に連通するラインＬ１−１３０を流れ、排熱焚再生器３０と低温再生器４８の間の領域における第１の合流点ＧＰで、ラインＬ１−２に合流して、ラインＬ１−４８となる。ラインＬ１−４８は低温再生器４８に連通しており、その内部の吸収溶液は低温再生器４８へ供給される。
低温再生器４８で加熱・一部再生された吸収溶液は、ラインＬ６を流れポンプ６２でヘッドが負荷され、高温再生器４４へ供給される。
【０１８９】
図２５の実施形態におけるその他の構成は図２３、図２４で示す実施形態と同様である。また、図２５の実施形態の作用効果については、図１−図２４で示す実施形態と同様である。
さらに、図２５の分岐点ＢＰにおける三方弁Ｖ１の開閉制御については、図１−図２４で示す実施形態と同様である。
【０１９０】
図２５においても、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１９１】
但し、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１種類のみに基いて、三方弁Ｖ１の開閉制御を行うことも出来る。同様に、何れか２つのセンサを設け、上記した３種類の制御パラメータから２種類を選択して制御することも出来る。
【０１９２】
図２６は「パラレルフロー」タイプの吸収冷温水機を変形した実施形態にかかるものであり、吸収器及び蒸発器（所謂「下胴」部分）が低圧側と高圧側の２段に構成されており、吸収冷温水機の効率化を企図している。
また、低圧側吸収器２２Ｌには溶液冷却吸収器７４が設けられており、低圧側吸収器２２Ｌ内で滴下される濃縮された吸収溶液が保有するエンタルピーを稀溶液に投入し、稀溶液温度を上昇せしめるので、その分だけ再生し易くなり、吸収冷温水機の効率が改善される。
さらに、ラインＬ１−４４における高温溶液熱交換器４２と高温再生器４４の間の領域に、高質燃料排熱投入用熱交換器７６が介装されており、熱交換器７６を介して、当該領域を流れる吸収溶液に、高質燃料排熱ラインＬ２０を流れる高質燃料排熱（バーナ機構４５の加熱手段で吸収溶液を加熱した後に系外に廃棄される排熱流体が保有する熱量）が投入されている。
【０１９３】
図２６の実施形態におけるその他の構成及び作用効果については、図１０で示す実施形態と同様である。そして、第２の分岐点Ｐ１における三方弁Ｖ２の開閉制御についても、図１０と同様である。
【０１９４】
図２６においても、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１９５】
但し、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１種類のみに基いて、三方弁Ｖ１の開閉制御を行うことも出来る。同様に、何れか２つのセンサを設け、上記した３種類の制御パラメータから２種類を選択して制御することも出来る。
【０１９６】
図２７の実施形態は、図２６の実施形態と概略同様な構成を具備しているが、第１合流点ＧＰと第２分岐点Ｐ１を連通するラインＬ１−３に排熱投入用熱交換器８０が介装されている。この排熱投入用熱交換器８０を介して、当該ラインＬ１−３内を流れる吸収溶液に、排熱ラインＬ２を流れる排熱流体が保有する熱量が投入される。
【０１９７】
図２７の実施形態におけるその他の構成及び作用効果については、図２６の実施形態と同様である。そして、第２の分岐点Ｐ１における三方弁Ｖ２の開閉制御についても、図２６（或いは図１０）と同様である。
【０１９８】
図２７において、排熱ラインＬ２に排熱流体が流過しているか否かを検出するセンサＳ１と、排熱流体温度Ｔｗを検出するセンサＳ２と、吸収器２２の出口温度Ｔａを検出するセンサＳ３を設け、各センサで検出されるパラメータは、それぞれ信号伝達ラインＣＬ−１、ＣＬ−２、ＣＬ−３を介して制御手段１５０に入力されており、制御信号１５０は、全ての制御パラメータに基いて制御信号を送出している。
【０１９９】
但し、センサＳ１、Ｓ２、Ｓ３のいずれか１つを設け、制御パラメータ（排熱ラインＬ２に排熱流体が流過しているか否か、排熱流体温度Ｔｗ、吸収器２２の出口における吸収溶液の液温Ｔａ）のいずれか１種類のみに基いて、三方弁Ｖ１の開閉制御を行うことも出来る。同様に、何れか２つのセンサを設け、上記した３種類の制御パラメータから２種類を選択して制御することも出来る。
【０２００】
【発明の効果】
以上説明した様に、本発明の吸収冷温水機では、排熱と吸収冷温水機内部の吸収溶液循環系との相対的な温度関係に基いて、分岐点における三方弁の開閉制御を行い、以って、排熱焚再生器に流入する吸収溶液量を制御することにより、高温再生器で消費される高質燃料を抑制し、排熱を有効利用して、吸収冷温水機の効率を改善することが出来る。
また、高温再生器で吸収溶液を再生した後の排熱流体が保有するエンタルピーであって、従来は利用されなかったエンタルピーが、冷媒ドレン熱交換器を介して稀溶液に投入されて、稀溶液の加熱に利用される。そのため、高質燃料が有効利用され、吸収冷温水機の熱効率が更に改善される。
さらに本発明によれば、排熱焚再生器において、冷媒蒸気の再生量を増加して、吸収冷温水機の熱効率を改善することが出来る。
【図面の簡単な説明】
【図１】本発明の第１実施形態を示す模式的に表現するブロック図。
【図２】図１の実施形態の制御フローチャートを示す図。
【図３】本発明の第２実施形態を示す模式的に表現するブロック図。
【図４】図３の実施形態の制御フローチャートを示す図。
【図５】本発明の第３実施形態を示す模式的に表現するブロック図。
【図６】図５の実施形態の制御フローチャートを示す図。
【図７】本発明の第４実施形態を示す模式的に表現するブロック図。
【図８】図７の実施形態の制御フローチャートを示す図。
【図９】本発明の第５実施形態を示す模式的に表現するブロック図。
【図１０】本発明の第６実施形態を示す模式的に表現するブロック図。
【図１１】本発明の第７実施形態を示す模式的に表現するブロック図。
【図１２】本発明の第８実施形態を示す模式的に表現するブロック図。
【図１３】本発明の第９実施形態を示す模式的に表現するブロック図。
【図１４】本発明の第１０実施形態を示す模式的に表現するブロック図。
【図１５】本発明の第１１実施形態を示す模式的に表現するブロック図。
【図１６】本発明の第１２実施形態を示す模式的に表現するブロック図。
【図１７】本発明の第１３実施形態を示す模式的に表現するブロック図。
【図１８】本発明の第１４実施形態を示す模式的に表現するブロック図。
【図１９】本発明の第１５実施形態を示す模式的に表現するブロック図。
【図２０】本発明の第１６実施形態を示す模式的に表現するブロック図。
【図２１】本発明の第１７実施形態を示す模式的に表現するブロック図。
【図２２】本発明の第１８実施形態を示す模式的に表現するブロック図。
【図２３】本発明の第１９実施形態を示す模式的に表現するブロック図。
【図２４】本発明の第２０実施形態を示す模式的に表現するブロック図。
【図２５】本発明の第２１実施形態を示す模式的に表現するブロック図。
【図２６】本発明の第２１実施形態を示す模式的に表現するブロック図。
【図２７】本発明の第２２実施形態を示す模式的に表現するブロック図。
【図２８】従来の吸収冷温水機の１例を模式的に表現するブロック図。
【図２９】その他の従来技術を模式的に表現するブロック図。
【符号の説明】
２０・・・吸収式冷温水機
２２・・・吸収器
２４、３２・・・ポンプ
２６・・・低温溶液熱交換器
３０・・・排熱焚再生器
Ｌ１、Ｌ１−１、Ｌ１−２、Ｌ１−２２、Ｌ１−２３、Ｌ３、Ｌ４、Ｌ５、Ｌ６、Ｌ６−１、Ｌ６−２、Ｌ８、Ｌ２２・・・溶液ライン
Ｌ１Ａ・・・溶液ラインの領域
Ｌ５、Ｌ１１、Ｌ１１−Ｄ、Ｌ１３、Ｌ１５、Ｌ１７、Ｌ１７Ｌ、Ｌ１７Ｈ、Ｌ５２、Ｌ７０・・・冷媒ライン
ＣＬ−１、ＣＬ−２、ＣＬ−３、ＣＬ−Ｖ１、ＣＬ−Ｖ２・・・信号伝達ライン４２・・・高温溶液熱交換器
４４・・・高温再生器
４８・・・低温再生器
５０・・・凝縮器
５２・・・蒸発器
７０・・・冷媒ドレン熱交換器
７４・・・溶液冷却吸収器
７６・・・高質燃料排熱投入用熱交換器
８０・・・排熱投入用熱交換器
Ｖ１、Ｖ２・・・三方弁
ＶＥ・・・排熱投入用三方弁
１００、１２０・・・三方弁駆動手段
Ｓ１、Ｓ２、Ｓ３・・・センサ
１５０・・・駆動手段
【図１】
0003738955.tif 000002
【図２】
0003738955.tif 000003
【図３】
0003738955.tif 000004
【図４】
0003738955.tif 000005
【図５】
0003738955.tif 000006
【図６】
0003738955.tif 000007
【図７】
0003738955.tif 000008
【図８】
0003738955.tif 000009
【図９】
0003738955.tif 000010
【図１０】
0003738955.tif 000011
【図１１】
0003738955.tif 000012
【図１２】
0003738955.tif 000013
【図１３】
0003738955.tif 000014
【図１４】
0003738955.tif 000015
【図１５】
0003738955.tif 000016
【図１６】
0003738955.tif 000017
【図１７】
0003738955.tif 000018
【図１８】
0003738955.tif 000019
【図１９】
0003738955.tif 000020
【図２０】
0003738955.tif 000021
【図２１】
0003738955.tif 000022
【図２２】
0003738955.tif 000023
【図２３】
0003738955.tif 000024
【図２４】
0003738955.tif 000025
【図２５】
0003738955.tif 000026
【図２６】
0003738955.tif 000027
【図２７】
0003738955.tif 000028
【図２８】
0003738955.tif 000029
【図２９】
0003738955.tif 000030